(57)【要約】【課題】  記録媒体に記録された映像ストリームのフォーマット変換を容易に可能とする【解決手段】  入力されたビデオオーディオデータ１０２について、DVD-Videoフォーマット情報発生部１１７、DVD+VRフォーマット情報発生部１１８、DVD-VRフォーマット情報発生部１１９、DVD-SRフォーマット情報発生部１２０、DVD-HDVRフォーマット情報発生部１２１及びBRDフォーマット情報発生部１２５において、互いに異なるフォーマットで規定された時刻あるいは記録位置に関する情報を発生させ、記録フォーマット化部１２２において、これらの情報を入力されたビデオオーディオデータ１０２に付与し、ビデオオーディオデータ１０２をマルチフォーマット化してハードディスク１０６ａまたはDVDに記録する。【選択図】  図１
2004357275.tif 000002
【特許請求の範囲】
【請求項１】
映像ストリームを記録媒体に記録する映像記録装置であって、
前記映像ストリームについて、それぞれが互いに異なるフォーマットで規定された時刻あるいは記録位置に関する情報を発生させる複数のフォーマット情報発生手段と、
前記映像ストリームに、前記複数のフォーマット情報発生手段毎に発生した時刻あるいは記録位置に関する情報を付与して当該映像ストリームをフォーマット化するフォーマット化手段と、
前記フォーマット化手段にて前記映像ストリームに付与された時刻あるいは記録位置に関する情報を当該映像ストリームとともに記録媒体に記録する記録手段とを有する映像記録装置。
【請求項２】
請求項１に記載の映像記録装置において、
前記フォーマット情報発生手段は、再生専用ストリームに応じたフォーマットと、記録再生ストリームに応じたフォーマットと、放送または伝送ストリームとして記録された記録再生ストリームに応じたフォーマットとのそれぞれにおいて規定された時刻または記録位置に関する情報のうち、少なくとも２つのフォーマットで規定された時刻または記録位置に関する情報を発生させることを特徴とする映像記録装置。
【請求項３】
請求項２に記載の映像記録装置において、
前記フォーマット情報発生手段は、再生専用ストリームに応じたフォーマットと、記録再生ストリームに応じたフォーマットと、放送または伝送ストリームとして記録された記録再生ストリームに応じたフォーマットとのそれぞれにおいて規定された、データの時刻情報、記録位置情報、ピクチャータイプと記録位置の関連情報、ビデオまたはオーディオまたはサブピクチャーと記録位置の関連情報、ビデオデータ圧縮単位ごとの記録開始終了位置情報、一定の記録単位間の関連情報、記録開始ごとに発生する記録開始情報のうち、少なくとも２つのフォーマットで規定された情報を発生させることを特徴とする映像記録装置。
【請求項４】
請求項３に記載の映像記録装置において、
前記再生専用ストリームを、DVD-Video Version 1.Xフォーマットに準拠したストリーム、DVD-Video Version 2.XもしくはHD-DVD9に準拠したストリーム、または、BRDフォーマットに準拠したストリームとし、
前記記録再生ストリームを、DVD+VRフォーマットに準拠したストリーム、DVD-VRフォーマットに準拠したストリーム、DVD-HDVRフォーマットに準拠したストリーム、または、BRDフォーマットに準拠したストリームとし、
前記放送または伝送ストリームとして記録された記録再生ストリームを、DVD-SRフォーマットに準拠したストリーム、DVD-HDVRフォーマットに準拠したストリーム、または、BRDフォーマットに準拠したストリームとすることを特徴とする映像記録装置。
【請求項５】
請求項４に記載の映像記録装置において、
ストリーム種別を映像音声ストリーム、１回記録するデータの集合体をVOB（Video Object）、放送または伝送ストリームとして１回記録するデータの集合体をSOB（Stream Object）、固定ビデオフィールドデータの集合体をTMU（Time Map Unit）、記録再生ストリームにおける１以上のGOP（Group Of Pictures）データの集合体をVOBU（Video Object Unit）、放送または伝送ストリームとして記録された記録再生ストリームにおける１以上のGOPデータの集合体をSOBU_HD（Stream Object Unit_HD）、固定ビット数データの集合体をSOBU（Stream Object Unit）、他の値の固定ビット数データの集合体をPacketGroupとそれぞれ定義した場合、
前記データの時刻情報を、VOB先頭時刻、SOB先頭時刻、TMU先頭時刻、VOBU先頭時刻、SOBU_HD先頭時刻、SOBU先頭時刻、PacketGroup先頭時刻、DVD-VRフォーマットまたはDVD-HDVRフォーマットで規定されたVOBU_PB_TM、DVD-SRフォーマットで規定されたIAPAT（Incremental Packet Arrival Time）、及びDVD-HDVRフォーマットで規定されたPATS（Packet Arrival Time Stamp）とし、
前記データの記録位置情報を、VOBアドレス、SOBアドレス、TMUアドレス、VOBUアドレス、SOBU_HDアドレス、SOBUアドレス、PacketGroupアドレス、DVD-Video Version 1.X、DVD-Video Version 2.XまたはDVD+VRフォーマットで規定されたVTS_VOBU_SA、VOBU_EA、FWDI、BWDI、及びDVD-VRまたはDVD-HDVRフォーマットで規定されたVOBU_SZとし、
前記ピクチャータイプと記録位置の関連情報を、DVD-Video Version 1.Xフォーマット、DVD-Video Version 2.XフォーマットまたはDVD+VRフォーマットで規定されたVOBU_1STREF_EA、VOBU_2NDREF_EA、VOBU_3RDREF_EA、及びDVD-VRフォーマットまたはDVD-HDVRフォーマットで規定された1STREF_SZとし、
前記ビデオまたはオーディオまたはサブピクチャーと記録位置の関連情報を、DVD-Video Version 1.Xフォーマット、DVD-Video Version 2.XフォーマットまたはDVD+VRフォーマットで規定されたA_SYNCA、SP_SYNCAとし、
前記ビデオデータ圧縮単位ごとの記録開始終了位置情報を、DVD-SRフォーマットで規定されたAUSM、AUEMとし、
前記一定の記録単位間の関連情報を、DVD-VRフォーマットまたはDVD-HDVRフォーマットで規定されたTM_DIFF、VOBU_ENTN、VOBU_ADRとし、
前記記録開始ごとに発生する記録開始情報を、DVD-VRフォーマットまたはDVD-HDVRフォーマットで規定されたTM_ENT_Ns、VOBU_ENT_Ns、TM_OFS、ADR_OFSとすることを特徴とする映像記録装置。
【請求項６】
請求項１乃至５のいずれか１項に記載の映像記録装置において、
前記フォーマット情報発生手段は、再生専用ストリームに応じたフォーマットと、記録再生ストリームに応じたフォーマットと、放送または伝送ストリームとして記録された記録再生ストリームに応じたフォーマットとのそれぞれにおいて規定された、記録単位間の関連時間情報及び固定記録単位あたりの時間情報を発生させ、
前記記録手段は、前記フォーマット情報発生手段にて発生した記録単位間の関連時間情報及び固定記録単位あたりの時間情報のうち、少なくとも一方を追加情報として記録媒体に記録することを特徴とする映像記録装置。
【請求項７】
請求項６に記載の映像記録装置において、
前記記録単位間の関連時間情報を、SOBUまたはPacketGroup先頭部とTMU先頭部との時間差、TMU先頭部のSOBUまたはPacketGroupナンバー、TMU先頭部のSOBUまたはPacketGroupの先頭アドレス、SOBUまたはPacketGroup先頭部とVOBU先頭部との時間差、VOBU先頭部のSOBUまたはPacketGroupナンバー、VOBU先頭部のSOBUまたはPacketGroupの先頭アドレス、SOBUまたはPacketGroup先頭部とSOBU_HD先頭部との時間差、SOBU_HD先頭部のSOBUまたはPacketGroupナンバー、及びSOBU_HD先頭部のSOBUまたはPacketGroupの先頭アドレスとし、
前記固定記録単位あたりの時間情報を、SOBUまたはPacketGroup当たりの時間情報またはフレーム数またはフィールド数とすることを特徴とする映像記録装置。
【請求項８】
映像ストリームを予め決められた第１のフォーマットでフォーマット化して記録媒体に記録する映像記録装置であって、
前記映像ストリームについて、前記第１のフォーマットで規定された時刻あるいは記録位置に関する情報を発生させる第１のフォーマット情報発生手段と、
前記映像ストリームに、前記第１のフォーマット情報発生手段にて発生した時刻あるいは記録位置に関する情報を付与して当該映像ストリームを前記第１のフォーマットでフォーマット化するフォーマット化手段と、
前記映像ストリームについて、前記第１のフォーマットとは異なる第２のフォーマットで規定された時刻あるいは記録位置に関する情報を発生させる第２のフォーマット情報発生手段と、
前記フォーマット化手段にてフォーマット化された前記映像ストリームに、前記第２のフォーマット情報発生手段にて発生した時刻あるいは記録位置に関する情報を付加する情報付加手段と、
前記情報付加手段にて前記フォーマット化された映像ストリームに付加された時刻あるいは記録位置に関する情報を当該フォーマット化された映像ストリームとともに記録媒体に記録する記録手段とを有する映像記録装置。
【請求項９】
請求項８に記載の映像記録装置において、
前記記録手段は、前記記録媒体の前記映像ストリーム以外の記録領域に、前記第２のフォーマット情報発生手段て発生した時刻あるいは記録位置に関する情報を記録することを特徴とする映像記録装置。
【請求項１０】
請求項９に記載の映像記録装置において、
前記記録手段は、前記映像ストリーム以外の記録領域に、VOB先頭時刻、SOB先頭時刻、TMU先頭時刻、VOBU先頭時刻、SOBU_HD先頭時刻、SOBU先頭時刻、PacketGroup先頭時刻、VOBアドレス、SOBアドレス、TMUアドレス、VOBUアドレス、SOBU_HDアドレス、SOBUアドレス及びPacketGroupアドレスと、DVD-Video Version 1.X、DVD-Video Version 2.Xフォーマットに準拠した、VTS_VOBU_SA、VOBU_EA、VOBU_1STREF_EA、VOBU_2NDREF_EA、VOBU_3RDREF_EA、FWDI、BWDI、A_SYNCA、SP_SYNCAと、DVD+VRフォーマットに準拠した、VTS_VOBU_SA、VOBU_1STREF_EA、VOBU_2NDREF_EA、VOBU_3RDREF_EA、VOBU_EA、FWDI、BWDI、A_SYNCA、SP_SYNCAと、DVD-VRフォーマットまたはDVD-HDVRフォーマットに準拠した、TM_ENT_Ns、VOBU_ENT_Ns、TM_OFS、ADR_OFS、TM_DIFF、VOBU_ENTN、VOBU_ADR、1STREF_SZ、VOBU_PB_TM、VOBU_SZと、DVD-SRフォーマットに準拠した、IAPAT、AUSM、AUEMと、DVD-HDVRフォーマットに準拠したPATSとのうち、前記第１のフォーマット以外のフォーマットのうち少なくとも１つのフォーマットで規定された情報を記録することを特徴とする映像記録装置。
【請求項１１】
請求項８乃至１０のいずれか１項に記載の映像記録装置において、
前記第２のフォーマット情報発生手段は、前記第２のフォーマットで規定された記録単位間の関連時間情報及び固定記録単位あたりの時間情報を発生させ、
前記記録手段は、前記第２のフォーマット情報発生手段にて発生した記録単位間の関連時間情報及び固定記録単位あたりの時間情報のうち、少なくとも一方を追加情報として記録媒体に記録することを特徴とする映像記録装置。
【請求項１２】
請求項１１に記載の映像記録装置において、
前記記録手段は、DVD-Video Version 1.Xフォーマット、またはDVD-Video Version 2.Xフォーマット、またはDVD+VRフォーマット、またはDVD-VRフォーマット、またはDVD-SRフォーマット、またはDVD-HDVRフォーマット、またはBRDフォーマットに準拠した映像ストリームを記録媒体に記録し、前記追加情報として、SOBUまたはPacketGroup先頭部とTMU先頭部との時間差、TMU先頭部のSOBUまたはPacketGroupナンバー、TMU先頭部のSOBUまたはPacketGroupの先頭アドレス、SOBUまたはPacketGroup先頭部とVOBU先頭部との時間差、VOBU先頭部のSOBUまたはPacketGroupナンバー、VOBU先頭部のSOBUまたはPacketGroupの先頭アドレス、SOBUまたはPacketGroup先頭部とSOBU_HD先頭部との時間差、SOBU_HD先頭部のSOBUまたはPacketGroupナンバー、SOBU_HD先頭部のSOBUまたはPacketGroupの先頭アドレス、SOBUまたはPacketGroup当たりの時間情報、フレーム数、フィールド数のうち、少なくとも１つを記録媒体に記録することを特徴とする映像記録装置。
【請求項１３】
記録媒体に該記録媒体の種類に応じたフォーマットで記録された映像ストリームを他のフォーマットに変換する映像記録再生装置であって、
前記映像ストリームについて、前記フォーマットで規定された時刻あるいは記録位置に関する情報を、挿入された他の記録媒体の種類に応じたフォーマットで規定された時刻あるいは記録位置に関する情報に変換する変換手段と、
前記映像ストリームに、前記変換手段にて変換された時刻あるいは記録位置に関する情報を付与して当該映像ストリームのフォーマット変換を行うフォーマット化手段とを有する映像記録再生装置。
【請求項１４】
請求項１３に記載の映像記録再生装置において、
前記変換手段は、VOB先頭時刻、SOB先頭時刻、TMU先頭時刻、VOBU先頭時刻、SOBU_HD先頭時刻、SOBU先頭時刻、PacketGroup先頭時刻、VOBアドレス、SOBアドレス、TMUアドレス、VOBUアドレス、SOBU_HDアドレス、SOBUアドレス及びPacketGroupアドレスと、DVD-Video Version 1.Xフォーマット、DVD-Video Version 2.Xフォーマットに準拠した、VTS_VOBU_SA、VOBU_EA、VOBU_1STREF_EA、VOBU_2NDREF_EA、VOBU_3RDREF_EA、FWDI、BWDI、A_SYNCA、SP_SYNCAと、DVD+VRフォーマットに準拠した、VTS_VOBU_SA、VOBU_1STREF_EA、VOBU_2NDREF_EA、VOBU_3RDREF_EA、VOBU_EA、FWDI、BWDI、A_SYNCA、SP_SYNCAと、DVD-VRフォーマットまたはDVD-HDVRフォーマットに準拠した、TM_ENT_Ns、VOBU_ENT_Ns、TM_OFS、ADR_OFS、TM_DIFF、VOBU_ENTN、VOBU_ADR、1STREF_SZ、VOBU_PB_TM、VOBU_SZと、DVD-SRフォーマットに準拠した、IAPAT、AUSM、AUEMと、DVD-HDVRフォーマットに準拠したPATSとのうち、前記記録媒体の種類に応じたフォーマットで規定された１つの情報を前記他の記録媒体の種類に応じたフォーマットで規定された情報に変換することを特徴とする映像記録再生装置。
【請求項１５】
請求項１３または請求項１４に記載の映像記録再生装置において、
前記変換手段は、前記記録媒体の種類に応じたフォーマットで規定された記録単位間の関連時間情報及び固定記録単位あたりの時間情報を、前記他の記録媒体の種類に応じたフォーマットで規定された情報に変換し、
前記記録手段は、前記変換手段で変換された記録単位間の関連時間情報及び固定記録単位あたりの時間情報のうち、少なくとも一方を追加情報として記録媒体に記録することを特徴とする映像記録再生装置。
【請求項１６】
請求項１５に記載の映像記録再生装置において、
前記記録手段は、DVD-Video Version 1.Xフォーマット、またはDVD-Video Version 2.Xフォーマット、またはDVD+VRフォーマット、またはDVD-VRフォーマット、またはDVD-SRフォーマット、またはDVD-HDVRフォーマット、またはBRDフォーマットに準拠した映像ストリームを記録媒体に記録し、前記追加情報として、SOBUまたはPacketGroup先頭部とTMU先頭部との時間差、TMU先頭部のSOBUまたはPacketGroupナンバー、TMU先頭部のSOBUまたはPacketGroupの先頭アドレス、SOBUまたはPacketGroup先頭部とVOBU先頭部との時間差、VOBU先頭部のSOBUまたはPacketGroupナンバー、VOBU先頭部のSOBUまたはPacketGroupの先頭アドレス、SOBUまたはPacketGroup先頭部とSOBU_HD先頭部との時間差、SOBU_HD先頭部のSOBUまたはPacketGroupナンバー、SOBU_HD先頭部のSOBUまたはPacketGroupの先頭アドレス、SOBUまたはPacketGroup当たりの時間情報、フレーム数、フィールド数のうち、少なくとも１つを記録媒体に記録することを特徴とする映像記録再生装置。
【請求項１７】
映像ストリームを予め決められたフォーマットでフォーマット化して記録媒体に記録するとともに、前記記録媒体に記録された映像ストリームを再生する映像記録再生装置であって、
前記映像ストリームについて、前記フォーマットで規定された時刻あるいは記録位置に関する情報を発生させるフォーマット情報発生手段と、
前記映像ストリームに、前記フォーマット情報発生手段にて発生した時刻あるいは記録位置に関する情報を付与して当該映像ストリームをフォーマット化するフォーマット化手段と、
前記フォーマット化手段にてフォーマット化された映像ストリームを記録媒体に記録する記録手段と、
前記記録媒体に記録された映像ストリームの再生順序が指定され、前記映像ストリームに対して独立したファイル形式からなるプレイリストファイルを発生させるプレイリストファイル発生手段とを有し、
前記フォーマット化手段は、前記フォーマット化された映像ストリームに、前記プレイリスト発生手段にて発生したプレイリストファイルを付加し、
前記記録手段は、前記フォーマット化手段にて前記映像ストリームに付加されたプレイリストファイルを記録媒体に記録することを特徴とする映像記録再生装置。
【請求項１８】
請求項１７に記載の映像記録再生装置において、
前記記録手段は、前記記録媒体の前記映像ストリーム以外の記録領域に前記プレイリストファイルを記録することを特徴とする映像記録再生装置。
【請求項１９】
映像ストリームを記録媒体に記録する映像記録装置であって、
前記映像ストリームに応じてフォーマットを設定するフォーマット設定手段と、
前記映像ストリームについて、前記フォーマット設定手段にて設定されたフォーマットで規定された時刻あるいは記録位置に関する情報を発生させるフォーマット情報発生手段と、
前記映像ストリームに、前記フォーマット情報発生手段にて発生した時刻あるいは記録位置に関する情報を付与して当該映像ストリームをフォーマット化するフォーマット化手段と、
前記フォーマット化手段にてフォーマット化された映像ストリームを記録媒体に記録する記録手段とを有する映像記録装置。
【請求項２０】
映像ストリームを記録媒体に記録する映像記録装置であって、
前記記録媒体の種類に応じてフォーマットを設定するフォーマット設定手段と、
前記映像ストリームについて、前記フォーマット設定手段にて設定されたフォーマットで規定された時刻あるいは記録位置に関する情報を発生させるフォーマット情報発生手段と、
前記映像ストリームに、前記フォーマット情報発生手段にて発生した時刻あるいは記録位置に関する情報を付与して当該映像ストリームをフォーマット化するフォーマット化手段と、
前記フォーマット化手段にてフォーマット化された映像ストリームを記録媒体に記録する記録手段とを有する映像記録装置。
【請求項２１】
請求項２０に記載の映像記録装置において、
前記フォーマット設定手段は、前記記録媒体が青色LD対応のDVDディスクまたはHD-DVDディスクである場合はDVD-HDVRフォーマットを設定し、前記記録媒体がBRDディスクである場合はBRDフォーマットを設定し、前記記録媒体がDVD+RWディスクである場合はDVD+VRフォーマットを設定し、前記記録媒体がDVD-RWディスクである場合はDVD-VRフォーマットまたはDVD-SRフォーマットを設定することを特徴とする映像記録装置。
【請求項２２】
請求項１９乃至２１のいずれか１項に記載の映像記録装置において、
前記フォーマット設定手段は、前記記録媒体が青色LD対応のDVDディスクまたはHD-DVDディスクであり、かつ前記映像ストリームとしてアナログデータが入力された場合はDVD-HDVRフォーマットのVOBを設定し、前記記録媒体が青色LD対応のDVDディスクまたはHD-DVDディスクであり、かつ前記映像ストリームとしてデジタルデータが入力された場合はDVD-HDVRフォーマットのSOBを設定し、前記記録媒体がBRDディスクである場合はBRDフォーマットを設定し、前記記録媒体がDVD-RWディスクであり、かつ前記映像ストリームとしてアナログデータが入力された場合はDVD-VRフォーマットを設定し、前記記録媒体がDVD-RWディスクであり、かつ前記映像ストリームとしてデジタルデータが入力された場合はDVD-SRフォーマットを選択することを特徴とする映像記録再生装置。
【請求項２３】
映像ストリーム及び該映像ストリームについてフォーマットで規定された時刻あるいは記録位置に関する情報が記録される記録領域を有してなる記録媒体において、
前記記録領域には、前記映像ストリームが記録されているとともに、該映像ストリームについて、互いに異なるフォーマットで規定された時刻あるいは記録位置に関する情報が当該映像ストリームに付与されて記録されていることを特徴とする記録媒体。
【請求項２４】
映像ストリーム及び該映像ストリームについて第１のフォーマットで規定された時刻あるいは記録位置に関する情報が記録される第１の記録領域を有してなる記録媒体において、
前記第１の記録領域には、前記映像ストリーム、並びに、該映像ストリームについて前記第１のフォーマットで規定された時刻あるいは記録位置に関する情報が、前記第１のフォーマットでフォーマット化された映像ストリームとして記録され、
前記映像ストリームについて、前記第１のフォーマットとは異なる第２のフォーマットで規定された時刻あるいは記録位置に関する情報が記録された第２の記録領域を有することを特徴とする記録媒体。
【請求項２５】
映像ストリーム及び該映像ストリームについてフォーマットで規定された時刻あるいは記録位置に関する情報が記録される第１の記録領域を有してなる記録媒体において、
前記第１の記録領域には、前記映像ストリーム、並びに、該映像ストリームについて前記フォーマットで規定された時刻あるいは記録位置に関する情報が、フォーマット化された映像ストリームとして記録され、
前記第１の記録領域に記録された映像ストリームの再生順序が指定されたプレイリストファイルが記録された第３の記録領域を有することを特徴とする記録媒体。
【請求項２６】
映像ストリームを記録媒体に記録する映像記録方法であって、
前記映像ストリームについて、それぞれが互いに異なるフォーマットで規定された、複数の時刻あるいは記録位置に関する情報を発生させるステップと、
前記映像ストリームに、前記複数の時刻あるいは記録位置に関する情報を付与して当該映像ストリームをフォーマット化するステップと、
前記映像ストリームに付与された時刻あるいは記録位置に関する情報を当該映像ストリームとともに記録媒体に記録するステップとを有する映像記録方法。
【請求項２７】
映像ストリームを予め決められた第１のフォーマットでフォーマット化して記録媒体に記録する映像記録方法であって、
前記映像ストリームについて、前記第１のフォーマットで規定された時刻あるいは記録位置に関する情報を発生させるステップと、
前記映像ストリームに、前記第１のフォーマットで規定された時刻あるいは記録位置に関する情報を付与して当該映像ストリームを前記第１のフォーマットでフォーマット化するステップと、
前記映像ストリームについて、前記第１のフォーマットとは異なる第２のフォーマットで規定された時刻あるいは記録位置に関する情報を発生させるステップと、
前記フォーマット化された前記映像ストリームに、前記第２のフォーマットで規定された時刻あるいは記録位置に関する情報を付加するステップと、
前記フォーマット化された映像ストリームに付加された時刻あるいは記録位置に関する情報を当該フォーマット化された映像ストリームとともに記録媒体に記録するステップとを有する映像記録方法。
【請求項２８】
記録媒体に該記録媒体の種類に応じたフォーマットで記録された映像ストリームを他のフォーマットに変換する映像記録再生方法であって、
前記映像ストリームについて、前記フォーマットで規定された時刻あるいは記録位置に関する情報を、前記他の記録媒体の種類に応じたフォーマットで規定された時刻あるいは記録位置に関する情報に変換するステップと、
前記映像ストリームに、前記変換された時刻あるいは記録位置に関する情報を付与して当該映像ストリームのフォーマット変換を行うステップとを有する映像記録再生方法。
【請求項２９】
映像ストリームを予め決められたフォーマットでフォーマット化して記録媒体に記録するとともに、前記記録媒体に記録された映像ストリームを再生する映像記録再生方法であって、
前記記録媒体に記録された映像ストリームの再生順序が指定され、前記映像ストリームに対して独立したファイル形式からなるプレイリストファイルを発生させるステップと、
前記映像ストリームについて、前記フォーマットで規定された時刻あるいは記録位置に関する情報を発生させるステップと、
前記映像ストリームに、前記時刻あるいは記録位置に関する情報を付与して当該映像ストリームをフォーマット化するステップと、
前記フォーマット化された映像ストリームに、前記プレイリストファイルを付加するステップと、
前記フォーマット化された映像ストリームを前記プレイリストファイルとともに記録媒体に記録するステップとを有する映像記録再生方法。
【請求項３０】
映像ストリームを記録媒体に記録する映像記録方法であって、
前記映像ストリームに応じてフォーマットを設定するステップと、
前記映像ストリームについて、前記フォーマットで規定された時刻あるいは記録位置に関する情報を発生させるステップと、
前記映像ストリームに、前記時刻あるいは記録位置に関する情報を付与して当該映像ストリームをフォーマット化するステップと、
前記フォーマット化された映像ストリームを記録媒体に記録するステップとを有する映像記録方法。
【請求項３１】
映像ストリームを記録媒体に記録する映像記録方法であって、
前記記録媒体の種類に応じてフォーマットを設定するステップと、
前記映像ストリームについて、前記フォーマットで規定された時刻あるいは記録位置に関する情報を発生させるステップと、
前記映像ストリームに、前記時刻あるいは記録位置に関する情報を付与して当該映像ストリームをフォーマット化するステップと、
前記フォーマット化された映像ストリームを記録媒体に記録するステップとを有する映像記録方法。
【請求項３２】
映像ストリームを記録媒体に記録する映像記録装置に、
前記映像ストリームについて、それぞれが互いに異なるフォーマットで規定された、複数の時刻あるいは記録位置に関する情報を発生させる手順と、
前記映像ストリームに、前記複数の時刻あるいは記録位置に関する情報を付与して当該映像ストリームをフォーマット化する手順と、
前記映像ストリームに付与された時刻あるいは記録位置に関する情報を当該映像ストリームとともに記録媒体に記録する手順とを実行させるためのプログラム。
【請求項３３】
映像ストリームを予め決められた第１のフォーマットでフォーマット化して記録媒体に記録する映像記録装置に、
前記映像ストリームについて、前記第１のフォーマットで規定された時刻あるいは記録位置に関する情報を発生させる手順と、
前記映像ストリームに、前記第１のフォーマットで規定された時刻あるいは記録位置に関する情報を付与して当該映像ストリームを前記第１のフォーマットでフォーマット化する手順と、
前記映像ストリームについて、前記第１のフォーマットとは異なる第２のフォーマットで規定された時刻あるいは記録位置に関する情報を発生させる手順と、
前記フォーマット化された前記映像ストリームに、前記第２のフォーマットで規定された時刻あるいは記録位置に関する情報を付加する手順と、
前記フォーマット化された映像ストリームに付加された時刻あるいは記録位置に関する情報を当該フォーマット化された映像ストリームとともに記録媒体に記録する手順とを実行させるためのプログラム。
【請求項３４】
記録媒体に該記録媒体の種類に応じたフォーマットで記録された映像ストリームを他のフォーマットに変換する映像記録再生装置に、
前記映像ストリームについて、前記フォーマットで規定された時刻あるいは記録位置に関する情報を、前記他の記録媒体の種類に応じたフォーマットで規定された時刻あるいは記録位置に関する情報に変換する手順と、
前記映像ストリームに、前記変換された時刻あるいは記録位置に関する情報を付与して当該映像ストリームのフォーマット変換を行う手順とを実行させるためのプログラム。
【請求項３５】
映像ストリームを予め決められたフォーマットでフォーマット化して記録媒体に記録するとともに、前記記録媒体に記録された映像ストリームを再生する映像記録再生装置に、
前記記録媒体に記録された映像ストリームの再生順序が指定され、前記映像ストリームに対して独立したファイル形式からなるプレイリストファイルを発生させる手順と、
前記映像ストリームについて、前記フォーマットで規定された時刻あるいは記録位置に関する情報を発生させる手順と、
前記映像ストリームに、前記時刻あるいは記録位置に関する情報を付与して当該映像ストリームをフォーマット化する手順と、
前記フォーマット化された映像ストリームに、前記プレイリストファイルを付加する手順と、
前記フォーマット化された映像ストリームを前記プレイリストファイルとともに記録媒体に記録する手順とを実行させるためのプログラム。
【請求項３６】
映像ストリームを記録媒体に記録する映像記録装置に、
前記映像ストリームに応じてフォーマットを設定する手順と、
前記映像ストリームについて、前記フォーマットで規定された時刻あるいは記録位置に関する情報を発生させる手順と、
前記映像ストリームに、前記時刻あるいは記録位置に関する情報を付与して当該映像ストリームをフォーマット化する手順と、
前記フォーマット化された映像ストリームを記録媒体に記録する手順とを実行させるためのプログラム。
【請求項３７】
映像ストリームを記録媒体に記録する映像記録装置に、
前記記録媒体の種類に応じてフォーマットを設定する手順と、
前記映像ストリームについて、前記フォーマットで規定された時刻あるいは記録位置に関する情報を発生させる手順と、
前記映像ストリームに、前記時刻あるいは記録位置に関する情報を付与して当該映像ストリームをフォーマット化する手順と、
前記フォーマット化された映像ストリームを記録媒体に記録する手順とを実行させるためのプログラム。
【発明の詳細な説明】
【技術分野】
【０００１】
本発明は、ハードディスク／DVDコンボ型ビデオレコーダ、DVDビデオレコーダ、DVDストリームレコーダ、ハードディスクビデオレコーダ、BRDレコーダ等の映像記録装置、映像記録再生装置及びこれらにて記録が行われた記録媒体、並びに、映像記録方法、映像記録再生方法及びプログラムに関する。
【背景技術】
【０００２】
従来、DVD（Digital Versatile Disc）におけるビデオ、ストリーム関連アプリケーションフォーマットについては、DVD-Forumにおいて、再生専用のDVD-Video Version 1.Xフォーマットと、記録再生と編集を容易に行うことができるDVD-VR（Video Recording）フォーマットと、放送または伝送ストリームの直接的な記録再生を容易に行うことができるDVD-SR（Stream Recording）フォーマットとが規格化されている。また、DVD-Forum外において、記録再生と編集を容易に行うことができるDVD+VR（Video Recording）フォーマットが規格化されている。これらそれぞれのフォーマットにおいては、対応したディスクに対してそのフォーマットを用いてデータの記録が行われる。
【０００３】
また、DVD-Forumにおいては、HDTVを対象とした新しい再生専用のDVD-Video Version 2.0（またはHD-DVD9）ビデオフォーマットと、記録再生と編集を容易に行うことができ、かつ放送または伝送ストリームの直接的な記録再生も可能なDVD-HDVR（High Definition Video Recording）ビデオ・ストリーム記録フォーマットが検討されており、規格乱立状態になっている。さらに、最近では、DVD-Forumとは異なるグループが、DVDと異なるフォーマットとして、BRD（Blue Ray Disc）というフォーマットを規格化している。
【０００４】
ここで、DVD-Video Version 1.Xフォーマットは、映画等のコンテンツが予め記録されたディスク再生専用フォーマットであり、そのメインターゲットはホームシアターである。また、DVD+VRフォーマット及びDVD-VRフォーマットは、アナログビデオをデジタル化し、MPEG-2エンコードして記録することを主たる目的としたフォーマットであり、そのメインターゲットはアナログ放送記録とビデオカメラである。また、DVD-SRフォーマットは、MPEGストリームとして送られてきたデータを基本的にはそのまま記録するフォーマットであり、そのメインターゲットはデジタル放送記録である。
【０００５】
さらに、DVD-Video Version 2.Xフォーマットは、HDTVを含めた高画質、高音質を対象とした映画等のディスク再生専用フォーマットであり、そのメインターゲットは次世代ホームシアターである。また、DVD-HDVRフォーマットは、HDTVを含めた高画質、高音質の映像を対象としたフォーマットであり、そのメインターゲットはアナログ放送記録と次世代デジタル放送記録である。これらのメインターゲットには、赤色LD対応DVDディスクのみならず、青色LD対応DVDディスクも含まれる。
【０００６】
現在、DVD-Video Version 1.Xフォーマットは商品として世界中に広まり、DVD-VRフォーマット、DVD+VRフォーマット等も広まりつつある。また、DVD-Video Version 2.Xフォーマット、DVD-SRフォーマット、DVD-HDVRフォーマットは、今後、非常に有望なフォーマットである。さらに、BRDフォーマットも、HDTVを含めた青色LD対応ディスク用として、再生専用フォーマット、記録再生フォーマットを含むものである。
【０００７】
ところで、最近、ハードディスクとDVDレコーダとが組み合わせられたコンボタイプのHDD／DVDレコーダが商品化されている。この商品は、入力されたアナログビデオデータをデジタル化し、MPEG-2エンコードして、ハードディスクまたはDVDに記録する。そして、その商品は、ハードディスクからDVDへ、またはその逆方向でデータのダビングを行う。ここで、ハードディスクへのデータの記録には、その後、DVDフォーマットに容易に変換可能な論理フォーマットが使われている。即ち、DVDレコーダがDVD-VRフォーマットに対応していれば、ハードディスクにはDVD-VRフォーマットでデータが記録され、また、DVDレコーダがDVD+VRフォーマットに対応していれば、ハードディスクにはDVD+VRフォーマットでデータが記録される。また、今後DVDレコーダがDVD-SRフォーマット、またはDVD-HDVRフォーマットに対応すれば、ハードディスクにはDVD-SRフォーマット、またはDVD-HDVRフォーマットでデータが記録されることになる。これにより、ハードディスクからDVDへのデータのダビングはフォーマット変換を伴わずに容易に実現可能となっている。
【０００８】
ここで、上述したような技術の一例として、第１のフォーマットでデータがフォーマット化されて記録された第１の記録媒体と、第２のフォーマットでデータがフォーマット化されて記録された第２の記録媒体と、第１のフォーマットまたは第２のフォーマットで選択的にデータがフォーマット化されて記録された第３の記録媒体とを選択的に再生可能な再生駆動手段と、第１のフォーマットでフォーマット化されたデータをデコードする第１のデコード手段と、第２のフォーマットでフォーマット化されたデータをデコードする第２のデコード手段と、第１の記録媒体のプレーヤとして使用される場合に第１のデコード手段を選択的に駆動して第１のデコード手段によりデータがデコードされるように制御し、第２の記録媒体のプレーヤとして使用される場合に第２のデコード手段を選択的に駆動して第２のデコード手段によりデータがデコードされるように制御し、第３の記録媒体のプレーヤとして使用される場合にそのフォーマットに応じて第１又は第２のデコード手段を選択的に駆動して第１、第２のデコード手段によりデータがデコードされるように制御する再生制御手段とからなり、それにより、記録再生方式とフォーマットが異なる３種類の記録媒体に記録されたデータを選択的に再生するデジタル再生装置が考えられている。また、第１のフォーマット又は第２のフォーマットで選択的にフォーマット化された記録媒体にデータを記録する記録駆動手段と、外部から転送されてきたストリームデータを受信するための入力インタフェースと、入力インタフェースにて受信されたストリームデータを第１のフォーマットでフォーマット化する第１のエンコード手段と、入力インタフェースにて受信されたストリームデータを第２のフォーマットでフォーマット化する第２のエンコード手段と、第１のフォーマットの記録装置として使用される場合に入力インタフェースを介して受信したストリームデータが第１のエンコード手段によりフォーマット化されて記録媒体に記録され、第２のフォーマットの記録装置として使用される場合に入力インタフェースを介して受信したストリームデータが第２のエンコード手段によりフォーマット化されて記録媒体に記録されるように選択的に制御する記録制御手段とからなり、それにより、データをビデオ規格又はオーディオ規格で選択的に記録媒体に記録するデジタル記録装置が考えられている（例えば、特許文献１参照。）。
【特許文献１】特開２００１−３５０８３号公報
【発明の開示】
【発明が解決しようとする課題】
【０００９】
しかしながら、このようなフォーマットでデータを記録するHDD／DVDビデオレコーダのような映像記録再生装置には、以下のような問題点がある。
【００１０】
将来、ドライブが多種類のディスクに対応するようになった時に、最初にハードディスクにデータを記録した際のフォーマットとハードディスクからDVDにデータをダビングする際のフォーマットとを異なったフォーマットとしなければならない場合、フォーマット変換が複雑なものとなってしまう。例えば、ハードディスクにDVD+VRフォーマットで記録されたデータをDVDにDVD-VRフォーマットでダビングする場合や、ハードディスクにDVD-VRフォーマットで記録されたデータをDVDにDVD-SRフォーマットでダビングする場合等においては、多数の計算が必要となり、高速変換が困難となってしまう。あるいは、フォーマット変換時のCPU占有率が大きなものとなり、同時に行う他の記録再生動作に支障が生じてしまう。
【００１１】
また、HDTVを対象としたDVD-HDVRフォーマットに関しても同様である。DVD-HDVRフォーマットは、DVD+VRフォーマットやDVD-VRフォーマット、DVD-SRフォーマット等の従来のフォーマットと互換性のない新しいフォーマットであるため、DVD-HDVRフォーマットでDVDディスクに記録されたデータを、従来のDVDディスクにダビングするために、DVD-Video Version 1.Xフォーマットや、DVD+VRフォーマット、DVD-VRフォーマット、あるいはDVD-SRフォーマット等にフォーマット変換しようとすると、上述した場合と同様に、フォーマット変換が複雑なものとなり、高速変換が困難となってしまう。あるいは、フォーマット変換時のCPU占有率が大きいものとなり、同時に行う他の記録再生動作に支障が生じてしまう。さらに、上述したBRDフォーマットが加わった場合についても同様である。
【００１２】
本発明は、上述したような従来の技術が有する問題点に鑑みてなされたものであって、記録媒体に記録された映像ストリームのフォーマット変換を容易に可能とする映像記録装置、映像記録再生装置及び記録媒体を提供することを目的とする。
【課題を解決するための手段】
【００１３】
上記目的を達成するために本発明は、
映像ストリームを記録媒体に記録する映像記録装置であって、
前記映像ストリームについて、それぞれが互いに異なるフォーマットで規定された時刻あるいは記録位置に関する情報を発生させる複数のフォーマット情報発生手段と、
前記映像ストリームに、前記複数のフォーマット情報発生手段毎に発生した時刻あるいは記録位置に関する情報を付与して当該映像ストリームをフォーマット化するフォーマット化手段と、
前記フォーマット化手段にて前記映像ストリームに付与された時刻あるいは記録位置に関する情報を当該映像ストリームとともに記録媒体に記録する記録手段とを有する。
【００１４】
上記のように構成された本発明においては、映像ストリームが入力されると、まず、複数のフォーマット情報発生手段において、入力された映像ストリームについて、それぞれが互いに異なるフォーマットで規定された時刻あるいは記録位置に関する情報が発生し、次に、フォーマット化手段において、入力された映像ストリームに、複数のフォーマット情報発生手段毎に発生した時刻あるいは記録位置に関する情報が付与され、映像ストリームがフォーマット化される。その後、記録手段において、フォーマット化手段にて映像ストリームに付与された時刻あるいは記録位置に関する情報が映像ストリームとともに記録媒体に記録されることになる。
【００１５】
また、映像ストリームを予め決められた第１のフォーマットでフォーマット化して記録媒体に記録する映像記録装置であって、
前記映像ストリームについて、前記第１のフォーマットで規定された時刻あるいは記録位置に関する情報を発生させる第１のフォーマット情報発生手段と、
前記映像ストリームに、前記第１のフォーマット情報発生手段にて発生した時刻あるいは記録位置に関する情報を付与して当該映像ストリームを前記第１のフォーマットでフォーマット化するフォーマット化手段と、
前記映像ストリームについて、前記第１のフォーマットとは異なる第２のフォーマットで規定された時刻あるいは記録位置に関する情報を発生させる第２のフォーマット情報発生手段と、
前記フォーマット化手段にてフォーマット化された前記映像ストリームに、前記第２のフォーマット情報発生手段にて発生した時刻あるいは記録位置に関する情報を付加する情報付加手段と、
前記情報付加手段にて前記フォーマット化された映像ストリームに付加された時刻あるいは記録位置に関する情報を当該フォーマット化された映像ストリームとともに記録媒体に記録する記録手段とを有する。
【００１６】
上記のように構成された本発明においては、映像ストリームが入力されると、まず、第１のフォーマット発生手段において、入力された映像ストリームについて、予め決められた第１のフォーマットで規定された時刻あるいは記録位置に関する情報が発生し、次に、フォーマット化手段において、入力された映像ストリームに、第１のフォーマット情報発生手段にて発生した時刻あるいは記録位置に関する情報が付与されて映像ストリームが第１のフォーマットでフォーマット化される。また、第２のフォーマット情報発生手段において、入力された映像ストリームについて、第１のフォーマットとは異なる第２のフォーマットで規定された時刻あるいは記録位置に関する情報が発生する。その後、情報付加手段において、フォーマット化手段にてフォーマット化された映像ストリームに、第２のフォーマット情報発生手段にて発生した時刻あるいは記録位置に関する情報が付加され、記録手段において、情報付加手段にてフォーマット化された映像ストリームに付加された時刻あるいは記録位置に関する情報が、フォーマット化された映像ストリームとともに記録媒体に記録されることになる。
【００１７】
また、記録媒体に該記録媒体の種類に応じたフォーマットで記録された映像ストリームを他の記録媒体に記録する映像記録再生装置であって、
前記映像ストリームについて、前記フォーマットで規定された時刻あるいは記録位置に関する情報を、挿入された他の記録媒体の種類に応じたフォーマットで規定された時刻あるいは記録位置に関する情報に変換する変換手段と、
前記映像ストリームに、前記変換手段にて変換された時刻あるいは記録位置に関する情報を付与して当該映像ストリームのフォーマット変換を行うフォーマット化手段とを有する。
【００１８】
上記のように構成された本発明においては、記録媒体に該記録媒体の種類に応じたフォーマットで記録された映像ストリームを他のフォーマットに変換する場合、まず、変換手段において、映像ストリームについて、フォーマットで規定された時刻あるいは記録位置に関する情報が、挿入された他の記録媒体の種類に応じたフォーマットで規定された時刻あるいは記録位置に関する情報に変換され、次に、フォーマット化手段において、映像ストリームに、変換手段にて変換された時刻あるいは記録位置に関する情報が付与され、映像ストリームのフォーマット変換が行われる。
【００１９】
また、映像ストリームを予め決められたフォーマットでフォーマット化して記録媒体に記録するとともに、前記記録媒体に記録された映像ストリームを再生する映像記録再生装置であって、
前記映像ストリームについて、前記フォーマットで規定された時刻あるいは記録位置に関する情報を発生させるフォーマット情報発生手段と、
前記映像ストリームに、前記フォーマット情報発生手段にて発生した時刻あるいは記録位置に関する情報を付与して当該映像ストリームをフォーマット化するフォーマット化手段と、
前記フォーマット化手段にてフォーマット化された映像ストリームを記録媒体に記録する記録手段と、
前記記録媒体に記録された映像ストリームの再生順序が指定され、前記映像ストリームに対して独立したファイル形式からなるプレイリストファイルを発生させるプレイリストファイル発生手段とを有し、
前記フォーマット化手段は、前記フォーマット化された映像ストリームに、前記プレイリスト発生手段にて発生したプレイリストファイルを付加し、
前記記録手段は、前記フォーマット化手段にて前記映像ストリームに付加されたプレイリストファイルを記録媒体に記録することを特徴とする。
【００２０】
上記のように構成された本発明においては、映像ストリームが入力されると、フォーマット情報発生手段において、映像ストリームについて、映像ストリームのフォーマットで規定された時刻あるいは記録位置に関する情報が発生し、次に、フォーマット化手段において、入力された映像ストリームに、フォーマット情報発生手段にて発生した時刻あるいは記録位置に関する情報が付与され、映像ストリームがフォーマット化される。ここで、プレイリストファイル発生手段においては、映像ストリームが記録される記録媒体に記録された映像ストリームの再生順序が指定され、映像ストリームに対して独立したファイル形式からなるプレイリストファイルが発生しており、フォーマット化手段においては、フォーマット化された映像ストリームに、プレイリスト発生手段にて発生したプレイリストファイルが付加される。その後、記録手段において、フォーマット化手段にてフォーマット化された映像ストリームとこれに付加されたプレイリストファイルとを記録媒体に記録されることになる。
【００２１】
また、映像ストリームを記録媒体に記録する映像記録装置であって、
前記映像ストリームに応じてフォーマットを設定するフォーマット設定手段と、
前記映像ストリームについて、前記フォーマット設定手段にて設定されたフォーマットで規定された時刻あるいは記録位置に関する情報を発生させるフォーマット情報発生手段と、
前記映像ストリームに、前記フォーマット情報発生手段にて発生した時刻あるいは記録位置に関する情報を付与して当該映像ストリームをフォーマット化するフォーマット化手段と、
前記フォーマット化手段にてフォーマット化された映像ストリームを記録媒体に記録する記録手段とを有する。
【００２２】
上記のように構成された本発明においては、映像ストリームが入力されると、フォーマット設定手段において、入力された映像ストリームに応じてフォーマットが設定され、フォーマット情報発生手段において、入力された映像ストリームについて、フォーマット設定手段にて設定されたフォーマットで規定された時刻あるいは記録位置に関する情報が発生する。次に、フォーマット化手段において、入力された映像ストリームに、フォーマット情報発生手段にて発生した時刻あるいは記録位置に関する情報が付与され、映像ストリームがフォーマット化される。その後、記録手段において、フォーマット化手段にてフォーマット化された映像ストリームが記録媒体に記録されることになる。
【００２３】
また、映像ストリームを記録媒体に記録する映像記録装置であって、
前記記録媒体の種類に応じてフォーマットを設定するフォーマット設定手段と、
前記映像ストリームについて、前記フォーマット設定手段にて設定されたフォーマットで規定された時刻あるいは記録位置に関する情報を発生させるフォーマット情報発生手段と、
前記映像ストリームに、前記フォーマット情報発生手段にて発生した時刻あるいは記録位置に関する情報を付与して当該映像ストリームをフォーマット化するフォーマット化手段と、
前記フォーマット化手段にてフォーマット化された映像ストリームを記録媒体に記録する記録手段とを有する。
【００２４】
上記のように構成された本発明においては、フォーマット設定手段において、映像ストリームが記録される記録媒体の種類に応じてフォーマットが設定されており、映像ストリームが入力されると、フォーマット情報発生手段において、入力された映像ストリームについて、フォーマット設定手段にて設定されたフォーマットで規定された時刻あるいは記録位置に関する情報が発生し、次に、フォーマット化手段において、入力された映像ストリームに、フォーマット情報発生手段にて発生した時刻あるいは記録位置に関する情報が付与され、映像ストリームがフォーマット化される。その後、記録手段において、フォーマット化手段にてフォーマット化された映像ストリームが記録媒体に記録されることになる。
【発明の効果】
【００２５】
以上説明したように本発明においては、映像ストリームを記録媒体に記録する映像記録装置において、映像ストリームについて、それぞれが互いに異なるフォーマットで規定された時刻あるいは記録位置に関する情報を発生させる複数のフォーマット情報発生手段と、映像ストリームに、複数のフォーマット情報発生手段毎に発生した時刻あるいは記録位置に関する情報を付与して映像ストリームをフォーマット化するフォーマット化手段と、フォーマット化手段にて映像ストリームに付与された時刻あるいは記録位置に関する情報を当該映像ストリームとともに記録媒体に記録する記録手段とを有する構成としたため、記録媒体に記録された映像ストリームには、映像ストリームについて互いに異なるフォーマットで規定された時刻あるいは記録位置に関する情報が付与されており、それにより、この記録媒体に記録された映像ストリームを他の記録媒体にダビングする等の場合において容易にフォーマット変換を行うことができる。
【発明を実施するための最良の形態】
【００２６】
以下に、本発明の実施の形態について図面を参照して説明する。
【００２７】
（第１の実施の形態）
図１は、本発明の映像記録再生装置の第１の実施の形態を示すブロック図であり、DVDマルチ論理フォーマットに対応したHDD／DVDコンビネーションビデオレコーダ１０１を示す。
【００２８】
本形態は図１に示すように、DVD−マルチ論理フォーマット変換ブロック１０３と、記録媒体であるハードディスク１０６ａにビデオオーディオデータ１０２を記録する記録手段であるHDDドライバ１０６と、記録媒体であるDVDにビデオオーディオデータ１０２を記録する記録手段であるDVDレコーダ１１２と、DVDマルチ論理フォーマットダビング部１０７と、DVD-Video/+VRフォーマットダビング部１０８と、DVD-VRフォーマットダビング部１０９と、DVD-SRフォーマットダビング部１１０と、DVD-HDVRフォーマットダビング部１１０と、BRDフォーマットダビング部１２６と、制御ブロック１０５と、DVDマルチ、DVD+VR、DVD-VR、DVD-SR、DVD-HDVR、BRD編集／再生ブロック１１３と、フォーマット変換部１１５とから構成されている。
【００２９】
DVD−マルチ論理フォーマット変換ブロック１０３は、入力された映像ストリームであるビデオオーディオデータ１０２をDVDマルチ論理フォーマットに変換するものであって、入力されたビデオオーディオデータ１０２についてDVD-Video Version 1.Xフォーマットあるいは、DVD-Video Version 2.Xフォーマットで規定された時刻あるいは記録位置に関する情報を発生させるDVD-Videoフォーマット情報発生部１１７と、入力されたビデオオーディオデータ１０２についてDVD+VRフォーマットで規定された時刻あるいは記録位置に関する情報を発生させるDVD+VRフォーマット情報発生部１１８と、入力されたビデオオーディオデータ１０２についてDVD-VRフォーマットで規定された時刻あるいは記録位置に関する情報を発生させるDVD-VRフォーマット情報発生部１１９と、入力されたビデオオーディオデータ１０２についてDVD-SRフォーマットで規定された時刻あるいは記録位置に関する情報を発生させるDVD-SRフォーマット情報発生部１２０と、入力されたビデオオーディオデータ１０２についてDVD-HDVRフォーマットで規定された時刻あるいは記録位置に関する情報を発生させるDVD-HDVRフォーマット情報発生部１２１と、入力されたビデオオーディオデータ１０２についてBRDフォーマットで規定された時刻あるいは記録位置に関する情報を発生させるBRDフォーマット情報発生部１２５と、入力されたビデオオーディオデータ１０２に、DVD-Videoフォーマット情報発生部１１７、DVD+VRフォーマット情報発生部１１８、DVD-VRフォーマット情報発生部１１９、DVD-SRフォーマット情報発生部１２０、DVD-HDVRフォーマット情報発生部１２１及びBRDフォーマット情報発生部１２５にて発生した時刻あるいは記録位置に関する情報を付与し、ビデオオーディオデータ１０２をマルチフォーマット化する記録フォーマット化部１２２とから構成されている。
【００３０】
HDDドライバ１０６は、記録フォーマット化部１２２にてマルチフォーマット化されたビデオオーディオデータをハードディスク１０６ａに記録し、また、DVDレコーダ１１２は、記録フォーマット化部１２２にてマルチフォーマット化されたビデオオーディオデータを、挿入されたDVDに記録する。
【００３１】
DVDマルチ論理フォーマットダビング部１０７は、ハードディスク１０６ａに記録されたビデオオーディオデータをDVDマルチ論理フォーマットのままDVDレコーダ１１２によってDVDにダビングする。
【００３２】
DVD-Video/+VRフォーマットダビング部１０８は、ハードディスク１０６ａに記録されたビデオオーディオデータをDVD-Video Version 1.Xフォーマット、DVD-Video Version 2.Xフォーマット、あるいはDVD+VRフォーマットにフォーマット変換してDVDレコーダ１１２によってDVDにダビングする。
【００３３】
DVD-VRフォーマットダビング部１０９は、ハードディスク１０６ａに記録されたビデオオーディオデータをDVD-VRフォーマットにフォーマット変換してDVDレコーダ１１２によってDVDにダビングする。
【００３４】
DVD-SRフォーマットダビング部１１０は、ハードディスク１０６ａに記録されたビデオオーディオデータをDVD-SRフォーマットにフォーマット変換してDVDレコーダ１１２によってDVDにダビングする。
【００３５】
DVD-HDVRフォーマットダビング部１１０は、ハードディスク１０６ａに記録されたビデオオーディオデータをDVD-HDVRフォーマットにフォーマット変換してDVDレコーダ１１２によってDVDにダビングする。
【００３６】
BRDフォーマットダビング部１２６は、ハードディスク１０６ａに記録されたビデオオーディオデータをBRDフォーマットにフォーマット変換してDVDレコーダ１１２によってDVDにダビングする。
【００３７】
DVDマルチ、DVD+VR、DVD-VR、DVD-SR、DVD-HDVR、BRD編集／再生ブロック１１３は、DVDに記録されたビデオオーディオデータの編集、再生等を行う。
【００３８】
フォーマット変換部１１５は、DVDに記録されたビデオオーディオデータを他のDVDに記録する際に他のDVDの種類に応じてフォーマット変換するものであって、ビデオオーディオデータが記録されたDVDの種類に応じたフォーマットで規定された時刻あるいは記録位置に関する情報を、他のDVDの種類に応じたフォーマットで規定された時刻あるいは記録位置に関する情報に変換する変換部１２４と、DVDに記録されたビデオオーディオデータに、変換部１２４にて変換された時刻あるいは記録位置に関する情報を付与してビデオオーディオデータをフォーマット化するフォーマット化部１２３とから構成されている。
【００３９】
以下に、上記のように構成されたHDD／DVDコンビネーションビデオレコーダ１０１の動作について説明する。
【００４０】
外部からビデオオーディオデータ１０２が入力されると、入力されたビデオオーディオデータ１０２は、まず、DVDマルチ論理フォーマット変換ブロック１０３のDVD-Videoフォーマット情報発生部１１７、DVD+VRフォーマット情報発生部１１８、DVD-VRフォーマット情報発生部１１９、DVD-SRフォーマット情報発生部１２０、DVD-HDVRフォーマット情報発生部１２１、BRDフォーマット情報発生部１２５及び記録フォーマット化部１２２に入力される。
【００４１】
すると、DVD-Videoフォーマット情報発生部１１７においては、入力されたビデオオーディオデータ１０２についてDVD-Video Version 1.Xフォーマットあるいは、DVD-Video Version 2.Xフォーマットで規定された時刻あるいは記録位置に関する情報が発生し、また、DVD+VRフォーマット情報発生部１１８においては、入力されたビデオオーディオデータ１０２についてDVD+VRフォーマットで規定された時刻あるいは記録位置に関する情報が発生し、また、DVD-VRフォーマット情報発生部１１９においては、入力されたビデオオーディオデータ１０２についてDVD-VRフォーマットで規定された時刻あるいは記録位置に関する情報が発生し、また、DVD-SRフォーマット情報発生部１２０においては、入力されたビデオオーディオデータ１０２についてDVD-SRフォーマットで規定された時刻あるいは記録位置に関する情報が発生し、また、DVD-HDVRフォーマット情報発生部１２１においては、入力されたビデオオーディオデータ１０２についてDVD-HDVRフォーマットで規定された時刻あるいは記録位置に関する情報が発生し、また、BRDフォーマット情報発生部１２５においては、入力されたビデオオーディオデータ１０２についてBRDフォーマットで規定された時刻あるいは記録位置に関する情報が発生する。なお、DVDマルチ論理フォーマット変換ブロック１０３のDVD-Videoフォーマット情報発生部１１７、DVD+VRフォーマット情報発生部１１８、DVD-VRフォーマット情報発生部１１９、DVD-SRフォーマット情報発生部１２０、DVD-HDVRフォーマット情報発生部１２１及びBRDフォーマット情報発生部１２５にて発生する時刻あるいは記録位置に関する情報としては、例えば、データの時刻情報、データの記録位置情報、ピクチャータイプと記録位置の関連情報、ビデオまたはオーディオまたはサブピクチャーと記録位置の関連情報、ビデオデータ圧縮単位ごとの記録開始終了位置情報、一定の記録単位間の関連情報、記録開始ごとに発生する記録開始情報が挙げられる。また、これらの情報については、例えば、ストリーム種別を映像音声ストリーム、１回記録するデータの集合体をVOB（Video Object）、放送または伝送ストリームとして１回記録するデータの集合体をSOB（Stream Object）、固定ビデオフィールドデータの集合体をTMU（Time Map Unit）、記録再生ストリームにおける１以上のGOP（Group Of Pictures）データの集合体をVOBU（Video Object Unit）、放送または伝送ストリームとして記録された記録再生ストリームにおける１以上のGOPデータの集合体をSOBU_HD（Stream Object Unit_HD）、固定ビット数データの集合体をSOBU（Stream Object Unit）、他の値の固定ビット数データの集合体をPacketGroupとそれぞれ定義した場合、データの時刻情報を、VOB先頭時刻、SOB先頭時刻、TMU先頭時刻、VOBU先頭時刻、SOBU_HD先頭時刻、SOBU先頭時刻、PacketGroup先頭時刻、DVD-VRフォーマットまたはDVD-HDVRフォーマットで規定されたVOBU_PB_TM、DVD-SRフォーマットで規定されたIAPAT（Incremental Packet Arrival Time）、及びDVD-HDVRフォーマットで規定されたPATS（Packet Arrival Time Stamp）とし、また、データの記録位置情報を、VOBアドレス、SOBアドレス、TMUアドレス、VOBUアドレス、SOBU_HDアドレス、SOBUアドレス、PacketGroupアドレス、DVD-Video Version 1.X、DVD-Video Version 2.XまたはDVD+VRフォーマットで規定されたVTS_VOBU_SA、VOBU_EA、FWDI、BWDI、及びDVD-VRまたはDVD-HDVRフォーマ���トで規定されたVOBU_SZとし、また、ピクチャータイプと記録位置の関連情報を、DVD-Video Version 1.Xフォーマット、DVD-Video Version 2.XフォーマットまたはDVD+VRフォーマットで規定されたVOBU_1STREF_EA、VOBU_2NDREF_EA、VOBU_3RDREF_EA、及びDVD-VRフォーマットまたはDVD-HDVRフォーマットで規定された1STREF_SZとし、また、ビデオまたはオーディオまたはサブピクチャーと記録位置の関連情報を、DVD-Video Version 1.Xフォーマット、DVD-Video Version 2.XフォーマットまたはDVD+VRフォーマットで規定されたA_SYNCA、SP_SYNCAとし、また、ビデオデータ圧縮単位ごとの記録開始終了位置情報を、DVD-SRフォーマットで規定されたAUSM、AUEMとし、また、一定の記録単位間の関連情報を、DVD-VRフォーマットまたはDVD-HDVRフォーマットで規定されたTM_DIFF、VOBU_ENTN、VOBU_ADRとし、また、記録開始ごとに発生する記録開始情報を、DVD-VRフォーマットまたはDVD-HDVRフォーマットで規定されたTM_ENT_Ns、VOBU_ENT_Ns、TM_OFS、ADR_OFSとすることが考えられ、それぞれのフォーマットについて発生する情報の詳細については後述する。
【００４２】
このように、DVDマルチ論理フォーマット変換ブロック１０３のDVD-Videoフォーマット情報発生部１１７、DVD+VRフォーマット情報発生部１１８、DVD-VRフォーマット情報発生部１１９、DVD-SRフォーマット情報発生部１２０、DVD-HDVRフォーマット情報発生部１２１及びBRDフォーマット情報発生部１２５において、入力されたビデオオーディオデータ１０２について、それぞれが互いに異なるフォーマットで規定された時刻あるいは記録位置に関する情報が発生する。なお、このようなフォーマットにおいては、再生専用ストリームに応じたフォーマットと、記録再生ストリームに応じたフォーマットと、放送または伝送ストリームとして記録された記録再生ストリームに応じたフォーマットとに分類される。再生専用ストリームとしては、少なくとも３つのタイプが設定可能であり、第１のタイプをDVD-Video Version 1.Xフォーマットに準拠したストリーム、第２のタイプをDVD-Video Version 2.XまたはHD-DVD9に準拠したストリーム、第３のタイプをBRDフォーマットに準拠したストリームとする。また、記録再生ストリームとしては、少なくとも４つのタイプが設定可能であり、４つのタイプのうち第１のタイプをDVD+VRフォーマットに準拠したストリーム、第２のタイプをDVD-VRフォーマットに準拠したストリーム、第３のタイプをDVD-HDVRフォーマットに準拠したストリーム、第４のタイプをBRDフォーマットに準拠したストリームとする。また、放送または伝送ストリームとして記録された記録再生ストリームとしては、少なくとも３つのタイプが設定可能であり、第１のタイプをDVD-SRフォーマットに準拠したストリーム、第２のタイプをDVD-HDVRフォーマットに準拠したストリーム、第３のタイプをBRDフォーマットに準拠したストリームとする。
【００４３】
次に、記録フォーマット化部１２２において、入力されたビデオオーディオデータ１０２に、DVD-Videoフォーマット情報発生部１１７、DVD+VRフォーマット情報発生部１１８、DVD-VRフォーマット情報発生部１１９、DVD-SRフォーマット情報発生部１２０、DVD-HDVRフォーマット情報発生部１２１及びBRDフォーマット情報発生部１２５にて発生した時刻あるいは記録位置に関する情報が付与され、ビデオオーディオデータ１０２がマルチフォーマット化される。
【００４４】
その後、記録フォーマット化部１２２にてマルチフォーマット化されたビデオオーディオデータは、制御信号１０４が入力された制御ブロック１０５の制御によって、HDDドライバ１０６にてハードディスク１０６ａに記録されたり、DVDレコーダ１１２にてDVDに記録されたりする。
【００４５】
図２は、図１に示した記録フォーマット化部１２２にてマルチフォーマット化されたビデオオーディオデータがDVDレコーダ１１２によってDVDに記録された状態を示す図である。
【００４６】
図２に示すように、DVDレコーダ１１２によってビデオオーディオデータが記録されるDVD２１０１には、フォーマット化されたビデオオーディオデータが記録される記録領域２１０２が設けられており、記録フォーマット化部１２２にてマルチフォーマット化されたビデオオーディオデータはこの記録領域２１０２に記録される。すなわち、この記録領域２１０２には、ビデオオーディオデータ１０２が記録されているとともに、DVD-Videoフォーマット情報発生部１１７、DVD+VRフォーマット情報発生部１１８、DVD-VRフォーマット情報発生部１１９、DVD-SRフォーマット情報発生部１２０及びDVD-HDVRフォーマット情報発生部１２１及びBRDフォーマット情報発生部１２５にて発生した時刻あるいは記録位置に関する情報がビデオオーディオデータ１０２に付与されて記録されている。
【００４７】
また、DVD-Videoフォーマット情報発生部１１７、DVD+VRフォーマット情報発生部１１８、DVD-VRフォーマット情報発生部１１９、DVD-SRフォーマット情報発生部１２０、DVD-HDVRフォーマット情報発生部１２１及びBRDフォーマット情報発生部１２５において、それぞれのフォーマットにて規定された、記録単位間の関連時間情報及び固定記録単位あたりの時間情報を発生させ、その記録単位間の関連時間情報及び固定記録単位あたりの時間情報のうち少なくとも一方を、追加情報としてHDDドライバ１０６にてハードディスク１０６ａに記録したり、DVDレコーダ１１２にてDVDに記録したりすることも考えられる。なお、その際、記録単位間の関連時間情報を、SOBUまたはPacketGroup先頭部とTMU先頭部との時間差、TMU先頭部のSOBUまたはPacketGroupナンバー、TMU先頭部のSOBUまたはPacketGroupの先頭アドレス、SOBUまたはPacketGroup先頭部とVOBU先頭部との時間差、VOBU先頭部のSOBUまたはPacketGroupナンバー、VOBU先頭部のSOBUまたはPacketGroupの先頭アドレス、SOBUまたはPacketGroup先頭部とSOBU_HD先頭部との時間差、SOBU_HD先頭部のSOBUまたはPacketGroupナンバー、及びSOBU_HD先頭部のSOBUまたはPacketGroupの先頭アドレスとし、固定記録単位あたりの時間情報を、SOBUまたはPacketGroup当たりの時間情報またはフレーム数またはフィールド数とすることが考えられる。
【００４８】
HDDドライバ１０６によってハードディスク１０６ａに記録されたビデオオーディオデータは、制御ブロック１０５における制御によって、DVDレコーダ１１２にてDVDにダビングされる。この際、ハードディスク１０６ａに記録されたビデオオーディオデータは、DVDマルチ論理フォーマットダビング部１０７によってDVDマルチ論理フォーマットのまま、または、DVD-Video／+VRフォーマットダビング部１０８によってDVD-Video Version 1.X、Version 2.XまたはDVD+VRフォーマットに変換され、または、DVD-VRフォーマットダビング部１０９によってDVD-VRフォーマットに変換され、または、DVD-SRフォーマットダビング部１１０によってDVD-SRフォーマットに変換され、または、DVD-HDVRフォーマットダビング部１１１によってDVD-HDVRフォーマットに変換され、またはBRDフォーマットダビング部１２６によってBRDフォーマットに変換された形でDVDレコーダ１１２にてDVDに記録される。
【００４９】
ここで、HDDドライバ１０６によってハードディスク１０６ａに記録されたビデオオーディオデータが、DVDマルチ論理フォーマットダビング部１０７、DVD-Video／+VRフォーマットダビング部１０８、DVD-VRフォーマットダビング部１０９、DVD-SRフォーマットダビング部１１０及びDVD-HDVRフォーマットダビング部１１１、BRDフォーマットダビング部１２６のうち、どのフォーマット変換ブロックにて変換されるかについては、制御ブロック１０５により決定、選択される。または、ビデオオーディオデータをダビングするDVDの種類により自動的に決定される。例えば、DVDレコーダ１１２にDVD+RWディスクが挿入された場合は自動的にDVD+VRフォーマットが選択され、また、DVDレコーダ１１２にDVD-RWディスクが挿入された場合は自動的にDVD-VRフォーマットまたはDVD-SRフォーマットが選択され、また、DVDレコーダ１１２に青色LD対応DVDリライタブルディスクが挿入された場合は自動的にDVD-HDVRフォーマットが選択されるというように行われる。または、DVDレコーダ１１２にDVD-RWディスクが挿入され、かつアナログデータが入力された場合は自動的にDVD-VRフォーマットが選択され、また、DVDレコーダ１１２にDVD-RWディスクが挿入され、かつデジタルデータが入力された場合は自動的にDVD-SRフォーマットが選択され、DVDレコーダ１１２にBRDディスクが挿入された場合は自動的にBRDフォーマットが選択されるようにすることも考えられる。または、DVDレコーダ１１２に青色LD対応DVDリライタブルディスクが挿入され、かつアナログデータが入力された場合は自動的にDVD-HDVRフォーマットにおけるVOB記録モードが選択され、また、青色LD対応DVDリライタブルディスクが挿入され、かつデジタルデータが入力された場合は自動的にDVD-HDVRフォーマットにおけるSOB記録モードが選択されるようにすることも考えられる。ここで、通常、VOB記録モードはアナログ入力をデジタル化して記録するのに適したフォーマット、SOB記録モードはデジタルを直接記録するのに適したフォーマットとなっている。
【００５０】
また、上述したダビング動作は、DVDレコーダ１１２に挿入されたDVD間において行うことも考えられる。その場合、DVDレコーダ１１２に挿入されたDVDに記録されたビデオオーディオデータをハードディスク１０６ａに一旦記録しておき、その後、DVDレコーダ１１２に他のDVDを挿入し、ハードディスク１０６ａに記録されたビデオオーディオデータをDVDレコーダ１１２に挿入されたDVDにダビングすることやDVDレコーダ１１２を複数設けておき、複数のDVDレコーダ１１２にそれぞれ挿入されたDVD間で直接ダビングすること等が考えられる。
【００５１】
DVDレコーダ１１２にてDVDに記録されたビデオオーディオデータは、本レコーダまたは対応する他のDVDドライブにて編集、再生等が行われる。
【００５２】
DVDレコーダ１１２にてDVDに記録されたビデオオーディオデータが本レコーダで編集、再生される場合、DVDマルチ、DVD+VR、DVD-VR、DVD-SR、DVD-HDVR、BRD編集／再生ブロック１１３において編集、再生が行われ、編集の場合はビデオオーディオデータがDVDに書き戻され、また、再生の場合はビデオオーディオデータ１１４として出力される。
【００５３】
なお、HDDドライバ１０６にてハードディスク１０６ａに記録されたビデオオーディオデータの編集、再生が行われる場合や、DVDレコーダ１１２からHDDドライバ１０６によてハードディスク１０６ａへのビデオオーディオデータの書き戻しが行われる場合等については、図１における記載を省略する。
【００５４】
図３は、図１に示したDVDレコーダ１１２にてDVDに記録されたビデオオーディオデータが、対応する他のDVDドライブで、編集、再生等が行われる場合の処理を説明するための図である。
【００５５】
図３に示すように、DVDレコーダ１１２によってDVD-Video Version 1.X、Version 2.XまたはDVD+VRフォーマットでDVDに記録されたビデオオーディオデータは、再生専用のDVD-Video Version 1.XまたはVersion 2.Xドライブ２０１とDVD-Video Version 1.XまたはVersion 2.X再生ブロック２０２にて再生され、再生データはビデオオーディオデータ２０３として出力される。
【００５６】
また、DVDレコーダ１１２によってDVD-Video Version 1.X、Version 2.XまたはDVD+VRフォーマットでDVDに記録されたビデオオーディオデータは、記録再生可能なDVD+VRドライブ２０４とDVD+VR編集／再生ブロック２０５にて編集、再生が行われ、編集されたビデオオーディオデータはDVDに書き戻され、再生データはビデオオーディオデータ２０６として出力される。
【００５７】
また、DVDレコーダ１１２によってDVD-VRフォーマットでDVDに記録されたビデオオーディオデータは、記録再生可能なDVD-VRドライブ２０７とDVD-VR編集／再生ブロック２０８にて編集、再生が行われ、編集されたビデオオーディオデータはDVDに書き戻され、再生データはビデオオーディオデータ２０９として出力される。
【００５８】
また、DVDレコーダ１１２によってDVD-SRフォーマットでDVDに記録されたビデオオーディオデータは、記録再生可能なDVD-SRドライブ２１０とDVD-SR編集／再生ブロック２１１にて編集、再生が行われ、編集されたビデオオーディオデータはDVDに書き戻され、再生データはビデオオーディオデータ２１２として出力される。
【００５９】
また、DVDレコーダ１１２によってDVD-HDVRフォーマットでDVDに記録されたビデオオーディオデータは、記録再生可能なDVD-HDVRドライブ２１３とDVD-HDVR編集／再生ブロック２１４にて編集、再生が行われ、編集されたビデオオーディオデータはDVDに書き戻され、再生データはビデオオーディオデータ２１５として出力される。
【００６０】
また、DVDレコーダ１１２によってBRDフォーマットでDVDに記録されたビデオオーディオデータは、BRDドライブ２１６とBRDドライブ編集／再生ブロック２１７にて編集、再生が行われ、編集されたビデオオーディオデータはDVDに書き戻され、再生データはビデオオーディオデータ２１８として出力される。
【００６１】
また、フォーマット変換部１１５において、DVDに記録されたビデオオーディオデータを他のDVDに記録する際に他のDVDの種類に応じてフォーマット変換することもできる。
【００６２】
例えばDVD-Videoフォーマットで記録されていたコンテンツを、時刻または記録位置に関する情報についてDVD-HDVRフォーマットに従って書換え、記録するなどである。
【００６３】
フォーマット変換部１１５においては、まず、変換部１２４において、DVDレコーダ１１２によってビデオオーディオデータが記録されたDVDの種類に応じたフォーマットで規定された時刻あるいは記録位置に関する情報が、他のDVDの種類に応じたフォーマットで規定された時刻あるいは記録位置に関する情報に変換される。その後、フォーマット化部１２３において、DVDレコーダ１１２によってDVDに記録されたビデオオーディオデータに、変換部１２４にて変換された時刻あるいは記録位置に関する情報を付与してビデオオーディオデータがフォーマット化される。
【００６４】
この際、変換部１２４においては、時刻あるいは記録位置に関する情報として、VOB先頭時刻、SOB先頭時刻、TMU先頭時刻、VOBU先頭時刻、SOBU_HD先頭時刻、SOBU先頭時刻、PacketGroup先頭時刻、VOBアドレス、SOBアドレス、TMUアドレス、VOBUアドレス、SOBU_HDアドレス、SOBUアドレス及びPacketGroupアドレスと、DVD-Video Version 1.Xフォーマット、DVD-Video Version 2.Xフォーマットに準拠した、VTS_VOBU_SA、VOBU_EA、VOBU_1STREF_EA、VOBU_2NDREF_EA、VOBU_3RDREF_EA、FWDI、BWDI、A_SYNCA、SP_SYNCAと、DVD+VRフォーマットに準拠した、VTS_VOBU_SA、VOBU_1STREF_EA、VOBU_2NDREF_EA、VOBU_3RDREF_EA、VOBU_EA、FWDI、BWDI、A_SYNCA、SP_SYNCAと、DVD-VRフォーマットまたはDVD-HDVRフォーマットに準拠した、TM_ENT_Ns、VOBU_ENT_Ns、TM_OFS、ADR_OFS、TM_DIFF、VOBU_ENTN、VOBU_ADR、1STREF_SZ、VOBU_PB_TM、VOBU_SZと、DVD-SRフォーマットに準拠した、IAPAT、AUSM、AUEMと、DVD-HDVRフォーマットに準拠したPATSとのうち、DVDレコーダ１１２にてビデオオーディオデータが記録されたDVDの種類に応じたフォーマットで規定された１つの情報を他のDVDの種類に応じたフォーマットで規定された情報に変換することが考えられる。
【００６５】
また、変換部１２４において、DVDレコーダ１１２にてビデオオーディオデータが記録されたDVDの種類に応じたフォーマットで規定された記録単位間の関連時間情報及び固定記録単位あたりの時間情報を、他のDVDの種類に応じたフォーマットで規定された情報に変換し、DVDレコーダ１１２において、変換部１２４で変換された記録単位間の関連時間情報及び固定記録単位あたりの時間情報のうち、少なくとも一方を追加情報として他のDVDに記録することも考えられる。なお、その際、DVDレコーダ１１２においては、DVD-Video Version 1.Xフォーマット、またはDVD-Video Version 2.Xフォーマット、またはDVD+VRフォーマット、またはDVD-VRフォーマット、またはDVD-SRフォーマット、またはDVD-HDVRフォーマットに準拠した映像ストリームをDVDに記録し、追加情報として、SOBUまたはPacketGroup先頭部とTMU先頭部との時間差、TMU先頭部のSOBUまたはPacketGroupナンバー、TMU先頭部のSOBUまたはPacketGroupの先頭アドレス、SOBUまたはPacketGroup先頭部とVOBU先頭部との時間差、VOBU先頭部のSOBUまたはPacketGroupナンバー、VOBU先頭部のSOBUまたはPacketGroupの先頭アドレス、SOBUまたはPacketGroup先頭部とSOBU_HD先頭部との時間差、SOBU_HD先頭部のSOBUまたはPacketGroupナンバー、SOBU_HD先頭部のSOBUまたはPacketGroupの先頭アドレス、SOBUまたはPacketGroup当たりの時間情報、フレーム数、フィールド数のうち、少なくとも１つをDVDに記録することが考えられる。
【００６６】
このように、DVDに記録されたビデオオーディオデータについて、フォーマットで規定された時刻あるいは記録位置に関する情報を、他のDVDの種類に応じたフォーマットで規定された時刻あるいは記録位置に関する情報に変換する変換部１２４と、ビデオオーディオデータに、変換部１２４にて変換された時刻あるいは記録位置に関する情報を付与してビデオオーディオデータのフォーマット変換を行うフォーマット化部１２３とからなるフォーマット変換部１１５を設けることにより、DVDに記録されたビデオオーディオデータを、このビデオオーディオデータを記録するDVDの種類に応じたフォーマットに容易に変換することができる。
【００６７】
以下に、上述したフォーマットについて詳細に説明する。
【００６８】
まず、DVD-Video Version 1.X、Version 2.XまたはDVD+VRフォーマットについて説明する。
【００６９】
DVD-Video Version 1.X、Version 2.Xには、高速検索用ユーザーデータが含まれない。DVD+VRには、高速検索用ユーザーデータを含まないDVD+VRフォーマットと、高速検索用ユーザーデータを含むDVD+VRフォーマットが存在する。
【００７０】
図４は、DVD-Video Version 1.X、Version 2.X及びDVD+VRの構成の一例を示す図である。なお、図４においては、DVD-Video Version 1.X、Version 2.X、高速検索用ユーザーデータを含まないDVD+VR、高速検索用ユーザーデータを含むDVD+VRとも共通である。また、高速検索用ユーザーデータについては後述する。
【００７１】
図４に示すように、ディスクは、ファイルシステムデータ（Volume & File Structure）３０１と、ビデオ（DVD-Video Zone）とから構成され、ビデオ（DVD-Video Zone）は、マネージャデータ（VMG）３０２と、ビデオタイトルセット（VTS）とから構成され、マネージャデータ（VMG）３０２は、マネージャ情報（VMGI）３０３等から、また、ビデオタイトルセット（VTS）は、ビデオタイトルセット情報（VTSI）３０４及びビデオオブジェクトセット（VOBS for Title）等から構成され、ビデオオブジェクトセット（VOBS for Title）は、ビデオオブジェクト（VOB）３０５から構成され、ビデオオブジェクト（VOB）３０５はセル（Cell）３０６から構成され、セル（Cell）３０６はビデオオブジェクトユニット（VOBU）３０７から構成され、ビデオオブジェクトユニット（VOBU）３０７は、NV-Pack３０８及びV-Pack等から構成され、NV-Pack３０８は、ヘッダー（Header）３０９及びDSI data等から構成される。
【００７２】
ここで、VOBU（Video Object Unit）は、MPEGで規定される１または複数のGOP（Group Of Pictures）から成り、通常は１GOP、０．５秒である。そして、VOBU中先頭にNV-Pack（Navigation Pack、可変速再生用データ）が配置されるため、通常、０．５秒ごとにNV-Packが配置される。
【００７３】
このとき、重要なタイムマップ情報として、以下の４種類の情報を発生しなければならない。
【００７４】
〈1〉VTSI中において、VTS_VOBU_SAとして全てのVOBUの開始アドレス
〈2〉NV-PackのDSI中において、VOBU_EA、VOBU_1STREF_EA、VOBU_2NDREF_EA、VOBU_3RDREF_EAとして、VOBUの最終アドレス、第１のコアピクチャーの最終アドレス、第２のコアピクチャーの最終アドレス及び第３のコアピクチャーの最終アドレス
〈3〉NV-PackのDSI中において、FWDI、BWDIとして、現在のVOBUの+240，+120，+60，+20，+15，+14，+13，+12，+11，+10，+9，+8，+7，+6，+5，+4，+3，+2，+1番目のVOBUのアドレス、並びに、現在のVOBUの-1，-2，-3，-4，-5，-6，-7，-8，-9，-10，-11，-12，-13，-14，-15，-20，-60，-120，-240番目のVOBUのアドレス（ここで、DVD-VideoとDVD+VRの違いとして、DVD-VideoではFWDI_240〜FWDI_1、BWDI_1〜BWDI_240全データ正確な値が必要であるのに対し、DVD+VRでは、FWDI_6〜FWDI_1、BWDI_1〜BWDI_240は正確な値が必要だが、FWDI_10〜FWDI_7はFWDI_6と同じ値、FWDI_240〜FWDI_11は3FFFFFFFHとすることにより、大きな未来のデータは正確でなくてもよいものとしている。）、ビデオデータを持った次のVOBUアドレス、次のVOBUアドレス、1つ前のVOBUアドレス、ビデオデータを持った1つ前のVOBUアドレス
〈4〉NV-PackのDSI中において、A_SYNCA、SP_SYNCAとして、当該NV-Packに同期したオーディオパック（A_PCK）、サブピクチャーパック（SP_PCK）のアドレス
このように、頻繁にタイムマップを計算、発生しなければならない。
【００７５】
次に、DVD-VRフォーマットについて説明する。
【００７６】
DVD-VRには、高速検索用ユーザーデータを含まないDVD-VRフォーマットと、高速検索用ユーザーデータを含むDVD-VRフォーマットが存在する。
【００７７】
図５は、DVD-VRの構成の一例を示す図である。なお、図５においては、高速検索用ユーザーデータを含まないDVD-VR、高速検索用ユーザーデータを含むDVD-VRとも共通である。また、高速検索用ユーザーデータについては後述する。
【００７８】
図５に示すように、ファイルは、主に、マネージャデータ用のVR_MANGR.IFOファイル４０１と、ビデオオーディオデータ用のVR_MOVIE.VROファイル４０６とから成る。
【００７９】
VR_MANGR.IFOファイル４０１は、マネージャ情報（RTR_VMGI）４０２と、静止画情報（S_AVFIT）と、文字情報（TXTDT_MG）と、製作者情報（MNFIT）と、オリジナルプログラム接続情報（ORG_PGCI）４０３と、ユーザー定義プログラム接続情報（UD_PGCI）４０４と、動画情報（M_AVFIT）４０５とから成る。
【００８０】
ここで、動画情報（M_AVFIT）に記録される重要なタイムマップ情報として、図６に示す、以下の１０種類の情報を発生しなければならない。
【００８１】
図６は、DVD-VRタイムマップ情報の一例を示す図である。
【００８２】
〈1〉TMAP_GI５０１に示すように、VOB毎のTM_ENT_ Ns（TMU（６００フィールド、約１０秒）の総数）
〈2〉TMAP_GI５０１に示すように、VOB毎のVOBU_ENT_Ns（VOBUの総数）
〈3〉TMAP_GI５０１に示すように、VOB毎のTM_OFS（VOB先頭からTMU先頭のビデオフィールド数）
〈4〉TMAP_GI５０１に示すように、VOB毎のADR_OFS（VR_MOVIE.VROファイル先頭からVOB内VOBU先頭へのアドレスオフセット）
〈5〉TM_ENT５０２に示すように、TMU毎のVOBU_ENTNとして、TMU先頭部のVOBUナンバー
〈6〉TM_ENT５０２に示すように、TMU毎のTM_DIFFとして、VOBU先頭部とTMU先頭部の時間差（フィールド数）
〈7〉TM_ENT５０２に示すように、TMU毎のVOBU_ADRとして、TMU先頭部のVOBUの先頭アドレス
〈8〉VOBU_ENT５０３に示すように、VOBU毎の1STREF_SZとして、VOBU中第１コアピクチャーが占めるセクター数
〈9〉VOBU_ENT５０３に示すように、VOBU毎のVOBU_PB_TMとして、VOBUあたりの時間（フィールド数）
〈10〉VOBU_ENT５０３に示すように、VOBU毎のVOBU_SZとして、VOBUあたりのセクター数
これらのテーブルに関して、正確に発生しなければならない。
【００８３】
次に、DVD-SRフォーマットについて説明する。
【００８４】
DVD-SRには、高速検索用ユーザーデータを含まないDVD-SRフォーマットと、高速検索用ユーザーデータを含むDVD-SRフォーマットが存在する。
【００８５】
図７は、DVD-SRフォーマットの一例を示す図である。なお、図７においては、高速検索用ユーザーデータを含まないDVD-SR、高速検索用ユーザーデータを含むDVD-SRとも共通である。また、高速検索用ユーザーデータについては後述する。
【００８６】
図７に示すように、ファイルは、主に、マネージャデータ用のSR_MANGR.IFOファイル６０１と、ビデオオーディオストリームデータ用のSR_TRANS.SROファイル６０６とから成る。
【００８７】
SR_MANGR.IFOファイル６０１は、マネージャ情報（RTR_SMGI）６０２と、文字情報（TXTDT_MG）と、アプリケーションデータ（APDT_MG）と、オリジナルプログラム接続情報（ORG_PGCI）６０３と、ユーザー定義プログラム接続情報（UD_PGCIT）６０４と、ストリーム情報（SFIT）６０５とから成る。
【００８８】
ここで、ストリーム情報（SFIT）に記録される重要なマッピングリスト情報として、以下の２種類の情報を発生しなければならない。
【００８９】
〈1〉６４kB単位でSOBUを定義して、SOBUごとにIAPATを記録
図８は、DVD-SRフォーマットにおけるSOBOとIAPATを示す図である。
【００９０】
図８に示すように、DVD-SRフォーマットにおけるSOBUとIAPATは、アプリケーションパケット（Application Packet）７０１と、SOBU７０２と、時間ｔ７０３と、タイムユニット（Time Unit；TU）７０４と、SOBU開始アプリケーションパケット時刻（SOBU_S_APAT）７０５と、SOBU最終アプリケーションパケット時刻（SOBU_E_APAT）７０６と、インクリメンタルアプリケーションパケット時刻IAPAT（Incremental Packet Arrival Time）７０７とからなる。
【００９１】
SOBU（Stream Object）７０２を６４kBの記録単位とする。ディスク上のSOBU総数をMAPL_ENT_Nsで表す。タイムユニットTU７０４を、９０kHzクロック５１２周期である５．６９msecとする。IAPAT７０７は、各SOBU開始後最初のタイムユニットからSOBU終了後最初のタイムユニットまでのタイムユニットTU数を示したものであり、DVD-SRフォーマットでは、記録されたすべてのSOBUに対するIAPAT（IAPAT(1)〜IAPAT(MAPL_ENT_Ns)）が計算され、テーブルデータとして記録される（マッピングリスト）。
【００９２】
〈2〉SOBU/8（バイト）のAUSM、並びにAUEMを記録
図９は、AUSM及びAUEMを示す図である。
【００９３】
・AUSM_pos(i) を、AUSMにおいてｉ番目（１≦ｉ≦AU_Ns）のAU（Access Unit；Ｉピクチャー）が開始するビット位置とする。
【００９４】
・AUEM_pos(i) を、AUEMにおいてｉ番目（１≦ｉ≦AU_Ns）のAU（Access Unit；Ｉピクチャー）が終了するビット位置とする。
【００９５】
従って、
・ｉ番目（１≦ｉ≦AU_Ns）のAUは、SOBU _AUSM_pos(i)で開始する。
【００９６】
・ｉ番目（１≦ｉ≦AU_Ns）のAUは、SOBU _AUEM_pos(i)で終了する。
ということを示す。
【００９７】
これらのテーブルに関して、正確に発生しなければならない。
【００９８】
次に、DVD-HDVRフォーマットについて説明する。
【００９９】
DVD-HDVRには、高速検索用ユーザーデータを含まないDVD-HDVRフォーマットと、高速検索用ユーザーデータを含むDVD-HDVRフォーマットが存在する。
【０１００】
DVD-HDVRの構成の一例は基本的には図５に順ずるため、図は記載を省略した。
【０１０１】
図５と異なる点としては、Video Objectを示す４０６のHR_MOVIE.VROファイルに加え、Stream Objectを示すHR_STRMx.SROファイル、その他のデータを示すHR_APDAT.DATファイルが存在する。ただし、ファイル名はこの名称に限ったものではない。
【０１０２】
ここで、重要なタイムマップ情報として、図５に順ずるため、図は記載を省略した。以下の１１種類の情報を発生しなければならない。
【０１０３】
〈1〉TMAP_GI５０１に示すように、VOB（SOB）毎のTM_ENT_ Ns（TMU（６００フィールド、約１０秒）の総数）
〈2〉TMAP_GI５０１に示すように、VOB（SOB）毎のVOBU_ENT_Ns（VOBU（SOBU_HD）の総数）
〈3〉TMAP_GI５０１に示すように、VOB（SOB）毎のTM_OFS（VOB（SOB）先頭からTMU先頭のビデオフィールド数）
〈4〉TMAP_GI５０１に示すように、VOB（SOB）毎のADR_OFS（VR_MOVIE.VROファイル先頭からVOB（SOB）内VOBU（SOBU_HD）先頭へのアドレスオフセット）
〈5〉TM_ENT５０２に示すように、TMU毎のVOBU_ENTNとして、TMU先頭部のVOBU（SOBU_HD）ナンバー
〈6〉TM_ENT５０２に示すように、TMU毎のTM_DIFFとして、VOBU（SOBU_HD）先頭部とTMU先頭部の時間差（フィールド数）
〈7〉TM_ENT５０２に示すように、TMU毎のVOBU_ADRとして、TMU先頭部のVOBU（SOBU_HD）の先頭アドレス
〈8〉VOBU_ENT５０３に示すように、VOBU毎の1STREF_SZとして、VOBU（SOBU_HD）中第１コアピクチャーが占めるセクター数
〈9〉VOBU_ENT５０３に示すように、VOBU毎のVOBU_PB_TMとして、VOBU（SOBU_HD）あたりの時間（フィールド数）
〈10〉VOBU_ENT５０３に示すように、VOBU毎のVOBU_SZとして、VOBU（SOBU_HD）あたりのセクター数
〈11〉３２kB単位でPacketGroupを定義して、PacketGroupごとのPATS
これらのテーブルに関して、正確に発生しなければならない。
【０１０４】
ただし、TMUに関係する〈1〉、〈3〉、〈5〉、〈6〉、〈7〉は、発生しなくてもよい。
【０１０５】
次に、ビデオオーディオストリームについて説明する。
【０１０６】
ビデオオーディオストリームは、DVD-Video Version 1.X、Version 2.X、DVD+VR、DVD-VRで規定されたプログラムストリーム形式、DVD-SRで規定されたトランスポートストリームをその中身とするプログラムストリーム形式、DVD-HDVRで規定されたプログラムストリーム形式またはトランスポートストリームをその中身とするプログラムストリーム形式のいずれでもよい。
【０１０７】
図１０は、DVD-Video Version 1.X、Version 2.X、DVD+VR、DVD-VR、DVD-HDVRで規定されたビデオ、オーディオ、サブピクチャーパックを示す図である。また、図１１は、DVD-SRで規定されたストリームパックを示す図である。また、図１２は、図１０に示したストリームパックから図１１に示したビデオパックを発生する例を示す図である。
【０１０８】
図１０に示すように、２０４８バイトのビデオパック（Pack）９０１は、ビデオ、オーディオ、サブピクチャー（Pack for Video, Audio or Sub-picture）９０２及びその他から成る。
【０１０９】
図１１に示すように、２０４８バイトのストリームパック（S_PCK）１００１は、ストリームパックヘッダー１００２と、アプリケーションタイムスタンプ（ATS）１００３と、アプリケーションパケット（AP_PKT）１００４とから成る。
【０１１０】
図１２に示すように、ヘッダー１１０１、ペイロード１１０２，１１０３、ビデオパック開始点１１０４及びビデオパック終了点１１０５と定義する。
【０１１１】
図１２では、以下のようにして、DVD-SRで規定されたストリームパックから、DVD-Video Version 1.X、Version 2.X、DVD+VR、DVD-VR、DVD-HDVRで規定されたビデオパックを発生する。
【０１１２】
〈1）ストリームパック１００１から、アプリケーションパケット１００４を抽出する。ここで、アプリケーションパケット１００４は図１０に示すように、ヘッダー１１０１と、ペイロード１１０２とから構成される。
【０１１３】
〈2〉そこからペイロード１１０２のみを抽出する。
【０１１４】
〈3〉抽出されたペイロードデータ１１０３を、ビデオパック９０１中のビデオ、オーディオデータ９０２として、ビデオパック９０１を発生する。
【０１１５】
〈4〉ただし、ペイロードデータ１１０３からGOP先頭を検出し、VOBU先頭として、ビデオパック先頭部１１０４から配置し、GOP終了点をVOBU終了点として、スタッフィングを挿入することによりビデオパック終了点１１０５に合わせる。即ち、GOPをパック９０１にアラインさせる。
【０１１６】
なお、DVD-Video Version 1.X、Version 2.X、DVD+VR、DVD-VR、DVD-HDVRで規定されたビデオパックから、DVD-SRで規定されたストリームパックを発生するときは、前述と逆方向の処理を行う。
【０１１７】
DVD-HDVRで規定されたストリームパックから、DVD-Video Version 1.X、Version 2.X、DVD+VR、DVD-VR、DVD-HDVRで規定されたビデオパックを発生する方法も同様である。
【０１１８】
次に、DVDマルチ論理フォーマットについて説明する。
【０１１９】
図１３は、DVDマルチ論理フォーマットの一例を示す図である。
【０１２０】
図１３に示すように、DVD-Video Version 1.X、Version 2.X、DVD+VR、DVD-VR、DVD-SR、DVD-HDVRフォーマットに関連したタイムマップをすべて記録する。
【０１２１】
内容としては、１０秒単位のTMU（タイムマップユニット）１２０１に関するアドレス１２０２、また、GOP１２０３を基本とするVOBU、SOBU_HDに関するアドレス１２０４、６４kBごとのSOBUまたは３２kBごとのPacketGroup１２０５に関するタイムスタンプ１２０６が基本となる。
【０１２２】
なお、以下において、DVD-Video Version 1.X、Version 2.X、DVD+VR、DVD-VR、DVD-HDVRフォーマットにおけるVOBUとDVD-HDVRフォーマットにおけるSOBU_HDは同じ意味を持つため、VOBUで代表して示した。また、DVD-SRフォーマットにおけるSOBUとDVD-HDVRフォーマットにおけるPacketGroupも、サイズは異なるものの同じ意味を持つため、SOBUで代表して示した。
【０１２３】
上述したようなDVDマルチ論理フォーマットについて、図１４〜図１６を参照してさらに詳細に説明する。
【０１２４】
図１４は、DVDマルチ論理フォーマットを詳細に説明するための図である。
【０１２５】
TMU１３０１においては、TMU0，TMU1はそれぞれ１０秒を示す。また、本例においては、TMU0開始点のタイムスタンプ１３０２をビデオフィールドナンバー「９」で示し、また、TMU0開始点のセクターアドレス１３０３を「１２」として示している。同様に、TMU1開始点のタイムスタンプ（フィールドナンバー）は「６０９」、TMU1開始点のセクターアドレスは「６８２」である。タイムスタンプ（フィールドナンバー）は、必ず６００ずつ増加する。以下同様に増加する。
【０１２６】
また、VOBU１３０４は、通常１GOB（０．５秒）であるが、ここでは、TMUとの関係を明確に示すため、2GOP（１秒）とする。なお、１秒以下であれば、DVDのルールに準じている。また、VOBU0開始点のタイムスタンプ１３０５をビデオフィールドナンバー「０」で示し、また、VOBU0開始点のセクターアドレス１３０６が「０」として示す。同様に、VOBU1開始点のタイムスタンプ（フィールドナンバー）は「６０」、VOBU1開始点のセクターアドレスは「７０」である。以下同様となる。
【０１２７】
また、SOBU１３０７は６４kBと規定されている。SOBU0開始点のタイムスタンプ１３０８をビデオフィールドナンバー「０」で示し、また、SOBU0開始点のセクターアドレス１３０９を「０」として示す。同様に、SOBU1開始点のタイムスタンプ（フィールドナンバー）は「２７」、SOBU1開始点のセクターアドレスは「３２」である。セクターアドレスは３２ずつ増加する。以下同様となる。
【０１２８】
DVDマルチ論理フォーマットとして、これらTMU先頭時刻１３０２と、VOBU先頭時刻１３０５と、SOBU先頭時刻１３０８と、TMUアドレス１３０３と、VOBUアドレス１３０６と、SOBUアドレス１３０９と、VOB先頭時刻と、VOBアドレスとを記録する。
【０１２９】
図１５は、DVDマルチ論理フォーマットとして記録することが必要なデータを示す図である。なお、図１５における各TMU、VOBU、SOBUに対するアドレス、タイムスタンプ（フィールドナンバー）については、図１４と同じ値として示している。
【０１３０】
ここでは、VOB、TMU、VOBU、SOBUに関連して、以下のデータを発生、記録する。
【０１３１】
（１）VOBに関して
・VOBにおけるTMUの総数（TM_ENT_Ns）
・VOBにおけるVOBUの総数（VOBU_ENT_Ns）
・VOBにおけるVOB先頭からTMU先頭のビデオフィールド数（TM_OFS）
・VOBにおけるVR MOVIE.VROファイル先頭からVOB内VOBU先頭へのアドレスオフセット（ADR_OFS）
なお、上述した要素の図示は省略する。
【０１３２】
（２）TMUに関して
・VOBU先頭部とTMU先頭部の時間差（フィールド数）（TM DIFF）：図１４のTM_DIFFに示すように、TMU0、TMU1とも「９」
・TMU先頭部のVOBUナンバー（VOBU_ENTN）：図１４のTM_VOBUに示すように、TMU0ではVOBU0として「０」、TMU1ではVOBU10として「１０」
・TMU先頭部のVOBUの先頭アドレス（VOBU_ADR）：図１４のTM_VOBUに示すように、TMU0ではVOBU0のアドレスとして「０」、TMU1ではVOBU10のアドレスとして「６７７」。
【０１３３】
（３）VOBUに関して
・VOBU中第1コアピクチャーが占めるセクター数（1STREF_SZ）：図１４のREF EAの1st（第1コアピクチャーの基準最終アドレス）、VOBU開始アドレスから、VOBU0では２１−０＝２１、VOBU1では１０３−７０＝３３、以下同様の計算となる。
【０１３４】
・VOBUあたりの時間（フィールド数）（VOBU_PB_TM）：図１４のVOBU先頭フィールドナンバー、次のVOBU先頭フィールドナンバーから、VOBU0では６０−０＝６０、VOBU1では１２０−６０＝６０、以下同様の計算となる。
【０１３５】
・VOBUあたりのセクター数（VOBU_SZ）：図１４のVOBU開始アドレス、次のVOBU開始アドレスから、VOBU0では７０−０＝７０、VOBU1では１３８−７０＝６８、以下同様の計算となる。
【０１３６】
・VOBUの開始アドレス（VTS_VOBU_SA）：図１４のVOBU開始アドレスから、VOBU0では「０」、VOBU1では「７０」、以下同様にアドレス参照。
【０１３７】
・VOBU最終アドレス、第１のコアピクチャーの最終アドレス、第２のコアピクチャーの最終アドレス、第３のコアピクチャーの最終アドレス（VOBU_EA、VOBU_1STREF_EA、VOBU_2NDREF_EA、VOBU_3RDREF_EA）：VOBU_EAは簡単のため図示していないが、VOBU0では「６９」、VOBU1では「１３７」、以下同様。VOBU_1STREF_EA、VOBU_2NDREF_EA、VOBU_3RDREF_EAは、図１５のREF_EAの1st、2nd、3rdに示すように、VOBU0では「２１」，「２９」，「３８」、VOBU1では「１０３」，「１１０」，「１２１」、以下同様。
【０１３８】
・現在のVOBUの+240，+120，+60，+20，+15，+14，+13，+12，+11，+10，+9，+8，+7，+6，+5，+4，+3，+2，+1番目のVOBUのアドレス、並びに、現在のVOBUの-1，-2，-3，-4，-5，-6，-7，-8，-9，-10，-11，-12，-13，-14，-15，-20，-60，-120，-240番目のVOBUのアドレス、ビデオデータを持った次のVOBUアドレス、次のVOBUアドレス、1つ前のVOBUアドレス、ビデオデータを持った1つ前のVOBUアドレス
（FWDI、BWDI）：図１５のVOBU開始アドレスから計算。なお、図１５における記載は省略する。
【０１３９】
・当該NV-Packに同期したオーディオパック（A_PCK）、サブピクチャーパック（SP_PCK）のアドレス（A_SYNCA、SP_SYNCA）：図１５のASYNCに示すように、VOBU0では「１２」，「２５」、VOBU1では「１８」，「１１」、以下同様。
【０１４０】
（４）SOBUに関して
・各SOBU開始後最初のタイムユニットからSOBU終了後最初のタイムユニットまでのタイムユニットTU（５．６９msec）数（IAPAT）：図１５のIAPATに示すように、SOBU0では「７０」、SOBU1では「６８」、以下同様。
【０１４１】
・ｉ番目のAUが開始するビット位置（AUSM_pos(i)）、ｉ番目のAUが終了するビット位置（AUEM_pos(i)）：図１４のAUSM、AUEMに示すように、SOBUあたり1ビットで、AUSMは「１０１０１０１０」、AUEMは「０１０１０１００」、以下同様。
【０１４２】
・SOBUをPacketGroupとしたときのPATS：図１５のフィールドナンバーから、PacketGroup0では第０フォールド、PacketGroup1では第２７フォールドをそれぞれタイムスタンプで示した値、以下同様。
【０１４３】
図１６は、図１５に示したデータに加えてDVDマルチ論理フォーマットとして記録可能なデータを示す図であり、図１５に示したデータに加えて高速タイムサーチ、高速高画質な可変速再生、シーク中の時刻情報取得と表示を可能とするデータを示す。なお、図１６における各TMU、VOBU、SOBUに対するアドレス、タイムスタンプ（フィールドナンバー）については、図１４と同じ値として示している。
【０１４４】
ここでは、TMU、VOBU、SOBUに関連して、以下のデータを発生、記録する。
【０１４５】
（５）TMUに関して
・SOBU先頭部とTMU先頭部の時間差（フィールド数）（TMU_SOBU_0）：図１６に示すように、TMU0では９−０＝９、TMU1では６０９−５８４＝２５、以下同様。
【０１４６】
・TMU先頭部のSOBUナンバー（TMU_SOBU_1）：図１６に示すように、TMU0ではSOBU0として「０」、TMU1ではSOBU21として「２１」、以下同様。
【０１４７】
・TMU先頭部のSOBUの先頭アドレス（TMU_SOBU_2）：図１６に示すように、TMU0ではSOBU0のアドレスとして「０」、TMU1ではSOBU21のアドレスとして「６７２」、以下同様。
【０１４８】
（６）VOBUに関して
・SOBU先頭部とVOBU先頭部の時間差（フィールド数）（VOBU_SOBU_0）：図１６に示すように、VOBU0では０、VOBU1では６０−５５＝５、以下同様。
【０１４９】
・VOBU先頭部のSOBUナンバー（VOBU_SOBU_1）：図１６に示すように、VOBU0ではSOBU0として「０」、VOBU1ではSOBU2として「２」、以下同様。
【０１５０】
・VOBU先頭部のSOBUの先頭アドレス（VOBU_SOBU_2）：図１６に示すように、VOBU0ではSOBU0のアドレスとして「０」、VOBU1ではSOBU2のアドレスとして「６４」、以下同様。
【０１５１】
（７）SOBUに関して
・SOBU当たりのフィールドナンバー（SOBU_TM）：図１６に示すフィールドナンバーから、SOBU0では２７−０＝２７、SOBU1では５５−２７＝２８、以下同様。
【０１５２】
即ち、（１）〜（７）に示すデータのうち全部、または一部を、制御ブロック１０５の制御によってHDDドライバ１０６にてハードディスク１０６ａまたはDVDレコーダ１１２にてDVDに記録する。
【０１５３】
（１）〜（４）に示すデータをハードディスク１０６ａに記録した場合、ハードディスク１０６ａに記録されたビデオオーディオデータをDVDにダビングする際、DVD-Video Version 1.X、Version 2.X、DVD+VR、DVD-VR、DVD-SR、DVD-HDVRのどのフォーマットにも容易に変換できる。また、（１）〜（４）に示すデータをDVDに記録した場合は、DVDに記録されたビデオオーディオデータを、DVD-Video Version 1.X、Version 2.X、DVD+VR、DVD-VR、DVD-SR、DVD-HDVRのどのフォーマットにも容易に変換でき、そのフォーマットに対応したディスクに容易に記録できる。また、必要なタイムマップテーブルを所持しているため、高速タイムサーチ、高速高画質可変速再生、シーク中またはシーク後の即時時刻情報取得と表示などが容易に実現できる。
【０１５４】
ただし、映像フォーマットの対応によっては、例えばDVD-HDVRをDVD-VRに変換するときはHDTV映像をSDTV映像に解像度変換するなどが必要となる。
【０１５５】
次に、（１）〜（４）記録時のTMUによる高速タイムサーチについて説明する。
【０１５６】
・目標時刻を１０秒で除算することにより、目標とするTMUナンバーを求め、除算結果の剰余から、TMU内での残り時間を求める。
【０１５７】
・TMU内での残り時間にTM_DIFFを加算し、TMU内での残り時間とする。
【０１５８】
・VOBU#ENTN、VOBU ADRにより、目標TMU先頭部のVOBUナンバー、VOBUアドレスを求める。
【０１５９】
・VOBUごとに、VOBU_PB_TMから、VOBUあたりの時間（フィールド数）を求め、TMU内での残り時間から減算するとともに、VOBU_SZから、VOBUあたりのセクター数を求め、次のVOBUの先頭にジャンプする。
【０１６０】
・TMU内での残り時間が０になるVOBUを目標VOBUとして、そこから再生を開始する。
【０１６１】
このように、TMU単位で粗いタイムサーチを行い、その後TMU中のVOBUをたどって細かいタイムサーチを行うことができ、結果として、VOBUごとの時間が可変であっても高速タイムサーチが容易に実現できる。
【０１６２】
同様に、DVD+VR、DVD-VR、DVD-SR、DVD-HDVRにおいて、DVD-Video Version 1.X、Version 2.XのFWDI、BWDIを記録しておくことによる高速サーチが実現できる。
【０１６３】
また、（５）、（７）に示すデータを記録することにより、DVD-SRでディスクに記録されたビデオオーディオデータに対しても、高速タイムサーチが容易に実現できる。
【０１６４】
以下に、（５）、（７）記録時のTMUによる高速タイムサーチについて説明する。
【０１６５】
・目標時刻を１０秒で除算することにより、目標とするTMUナンバーを求め、除算結果の剰余から、TMU内での残り時間を求める。
【０１６６】
・TMU内での残り時間にTMU_SOBU_0を加算し、TMU内での残り時間とする。
【０１６７】
・TMU_SOBU_1、TMU_SOBU_2により、目標TMU先頭部のSOBUナンバー、SOBUアドレスを求める。
【０１６８】
・SOBUごとに、SOBU_TMから、SOBUあたりの時間（フィールド数）を求め、TMU内での残り時間から減算するとともに、SOBUアドレスに３２を加算することにより、次のSOBUの先頭にジャンプする。
【０１６９】
・TMU内での残り時間が０になるSOBUを目標SOBUとして、そこから再生を開始する。
【０１７０】
このように、TMU単位で粗いタイムサーチを行い、その後TMU中のSOBUをたどって細かいタイムサーチを行うことができ、結果として、SOBUごとの時間が可変であっても高速タイムサーチが容易に実現できる。
【０１７１】
また、（６）、（７）に示すデータを記録することにより、DVD-SRでディスクに記録されたビデオオーディオデータに対しても、高速タイムサーチが容易に実現できる。
【０１７２】
以下に、（６）、（７）記録時のTMUによる高速タイムサーチについて説明する。
【０１７３】
・目標時刻を０．５秒で除算することにより、目標とするVOBUナンバーを求め、除算結果の剰余から、VOBU内での残り時間を求める。
【０１７４】
・VOBU内での残り時間にVOBU_SOBU_0を加算し、VOBU内での残り時間とする。
【０１７５】
・VOBU_SOBU_1、VOBU_SOBU_2により、目標VOBU先頭部のSOBUナンバー、SOBUアドレスを求める。
【０１７６】
・SOBUごとに、SOBU_TMから、SOBUあたりの時間（フィールド数）を求め、VOBU内での残り時間から減算するとともに、SOBUアドレスに３２を加算することにより、次のSOBUの先頭にジャンプする。
【０１７７】
・TMU内での残り時間が０になるSOBUを目標SOBUとして、そこから再生を開始する。
【０１７８】
このように、VOBU単位で粗いタイムサーチを行い、その後VOBU中のSOBUをたどって細かいタイムサーチを行うことができ、結果として、SOBUごとの時間が可変であっても高速タイムサーチが容易に実現できる。
【０１７９】
次に、高速検索用ユーザーデータを含むDVD+VRフォーマット、高速検索用ユーザーデータを含むDVD-VRフォーマット、高速検索用ユーザーデータを含むDVD-SRフォーマット、高速検索用ユーザーデータを含むDVD-HDVRフォーマットについて説明する。
【０１８０】
DVD+VRフォーマットには、以下のデータが記録されている。
［VOBUに関して］
・VOBUの開始アドレス（VTS_VOBU_SA）
・VOBUの最終アドレス、第１のコアピクチャーの最終アドレス、第２のコアピクチャーの最終アドレス及び第３のコアピクチャーの最終アドレス（VOBU_EA、VOBU_1STREF_EA、VOBU_2NDREF_EA、VOBU_3RDREF_EA）
・現在のVOBUの+240，+120，+60，+20，+15，+14，+13，+12，+11，+10，+9，+8，+7，+6，+5，+4，+3，+2，+1番目のVOBUのアドレス、並びに、現在のVOBUの-1，-2，-3，-4，-5，-6，-7，-8，-9，-10，-11，-12，-13，-14，-15，-20，-60，-120，-240番目のVOBUのアドレス、ビデオデータを持った次のVOBUアドレス、次のVOBUアドレス、1つ前のVOBUアドレス、ビデオデータを持った1つ前のVOBUアドレス（FWDI、BWDI）
・当該NV-Packに同期したオーディオパック（A_PCK）、サブピクチャーパック（SP_PCK）のアドレス（A_SYNCA、SP_SYNCA）
そこで、DVD+VRフォーマット内、またはDVD+VRフォーマット外のユーザーデータにおいて、以下のデータの全部、または一部を記録する。
［VOBに関して］
・VOBにおけるTMUの総数（TM_ENT_Ns）
・VOBにおけるVOBUの総数（VOBU_ENT_Ns）
・VOBにおけるVOB先頭からTMU先頭のビデオフィールド数（TM_OFS）
・VOBにおけるVR_MOVIE.VROファイル先頭からVOB内VOBU先頭へのアドレスオフセット（ADR_OFS）
［TMUに関して］
・VOBU先頭部とTMU先頭部の時間差（フィールド数）（TM_DIFF）
・TMU先頭部のVOBUナンバー（VOBU_ENTN）
・TMU先頭部のVOBUの先頭アドレス（VOBU_ADR）
［VOBUに関して］
・VOBU中第１コアピクチャーが占めるセクター数（1STREF_SZ）
・VOBUあたりの時間（フィールド数）（VOBU_PB_TM）
・VOBUあたりのセクター数（VOBU_SZ）
［SOBUに関して］
・各SOBU開始後最初のタイムユニットからSOBU終了後最初のタイムユニットまでのタイムユニットTU（５．６９msec）数（IAPAT）
・ｉ番目のAUが開始するビット位置（AUSM_pos(i)）、ｉ番目のAUが終了するビット位置（AUEM_pos(i)）
・PacketGroupタイムスタンプ
［TMUに関して（追加）］
・SOBU先頭部とTMU先頭部の時間差（フィールド数）（TMU_SOBU_0）
・TMU先頭部のSOBUナンバー（TMU_SOBU_1）
・TMU先頭部のSOBUの先頭アドレス（TMU_SOBU_2）
［VOBUに関して（追加）］
・SOBU先頭部とVOBU先頭部の時間差（フィールド数）（VOBU_SOBU_0）
・VOBU先頭部のSOBUナンバー（VOBU_SOBU_1）
・VOBU先頭部のSOBUの先頭アドレス（VOBU_SOBU_2）
［SOBUに関して（追加）］
・SOBU当たりのフィールドナンバー（SOBU_TM）
また、DVD-VRフォーマットには、以下のデータが記録されている。
［VOBに関して］
・VOBにおけるTMUの総数（TM_ENT_Ns）
・VOBにおけるVOBUの総数（VOBU_ENT_Ns）
・VOBにおけるVOB先頭からTMU先頭のビデオフィールド数（TM_OFS）
・VOBにおけるVR_MOVIE.VROファイル先頭からVOB内VOBU先頭へのアドレスオフセット（ADR_OFS）
［TMUに関して］
・VOBU先頭部とTMU先頭部の時間差（フィールド数）（TM_DIFF）
・TMU先頭部のVOBUナンバー（VOBU_ENTN）
・TMU先頭部のVOBUの先頭アドレス（VOBU_ADR）
［VOBUに関して］
・VOBU中第１コアピクチャーが占めるセクター数（1STREF_SZ）
・VOBUあたりの時間（フィールド数）（VOBU_PB_TM）
・VOBUあたりのセクター数（VOBU_SZ）
そこで、DVD-VRフォーマット内、またはDVD-VRフォーマット外のユーザーデータにおいて、以下のデータを記録する。
［VOBUに関して］
・VOBUの開始アドレス（VTS_VOBU_SA）
・VOBUの最終アドレス、第１のコアピクチャーの最終アドレス、第２のコアピクチャーの最終アドレス及び第３のコアピクチャーの最終アドレス（VOBU_EA、VOBU_1STREF_EA、VOBU_2NDREF_EA、VOBU_3RDREF_EA）
・現在のVOBUの+240，+120，+60，+20，+15，+14，+13，+12，+11，+10，+9，+8，+7，+6，+5，+4，+3，+2，+1番目のVOBUのアドレス、並びに、現在のVOBUの-1，-2，-3，-4，-5，-6，-7，-8，-9，-10，-11，-12，-13，-14，-15，-20，-60，-120，-240番目のVOBUのアドレス、ビデオデータを持った次のVOBUアドレス、次のVOBUアドレス、1つ前のVOBUアドレス、ビデオデータを持った1つ前のVOBUアドレス（FWDI、BWDI）
・当該NV-Packに同期したオーディオパック（A_PCK）、サブピクチャーパック（SP_PCK）のアドレス（A_SYNCA、SP_SYNCA）
［SOBUに関して］
・各SOBU開始後最初のタイムユニットからSOBU終了後最初のタイムユニットまでのタイムユニットTU（５．６９msec）数（IAPAT）
・ｉ番目のAUが開始するビット位置（AUSM_pos(i)）、ｉ番目のAUが終了するビット位置（AUEM_pos(i)）
・PacketGroupタイムスタンプ
［TMUに関して（追加）］
・SOBU先頭部とTMU先頭部の時間差（フィールド数）（TMU_SOBU_0）
・TMU先頭部のSOBUナンバー（TMU_SOBU_1）
・TMU先頭部のSOBUの先頭アドレス（TMU_SOBU_2）
［VOBUに関して（追加）］
・SOBU先頭部とVOBU先頭部の時間差（フィールド数）（VOBU_SOBU_0）
・VOBU先頭部のSOBUナンバー（VOBU_SOBU_1）
・VOBU先頭部のSOBUの先頭アドレス（VOBU_SOBU_2）
［SOBUに関して（追加）］
・SOBU当たりのフィールドナンバー（SOBU_TM）
また、DVD-SRフォーマットには、以下のデータが記録されている。
［SOBUに関して］
・各SOBU開始後最初のタイムユニットからSOBU終了後最初のタイムユニットまでのタイムユニットTU（５．６９msec）数（IAPAT）
・ｉ番目のAUが開始するビット位置（AUSM_pos(i)）、ｉ番目のAUが終了するビット位置（AUEM_pos(i)）
そこで、DVD-SRフォーマット内、またはDVD-SRフォーマット外のユーザーデータにおいて、以下のデータを記録する。
［VOBに関して］
・VOBにおけるTMUの総数（TM_ENT_Ns）
・VOBにおけるVOBUの総数（VOBU_ENT_Ns）
・VOBにおけるVOB先頭からTMU先頭のビデオフィールド数（TM_OFS）
・VOBにおけるVR_MOVIE.VROファイル先頭からVOB内VOBU先頭へのアドレスオフセット（ADR_OFS）
［TMUに関して］
・VOBU先頭部とTMU先頭部の時間差（フィールド数）（TM_DIFF）
・TMU先頭部のVOBUナンバー（VOBU_ENTN）
・TMU先頭部のVOBUの先頭アドレス（VOBU_ADR）
［VOBUに関して］
・VOBU中第１コアピクチャーが占めるセクター数（1STREF_SZ）
・VOBUあたりの時間（フィールド数）（VOBU_PB_TM）
・VOBUあたりのセクター数（VOBU_SZ）
・VOBUの開始アドレス（VTS_VOBU_SA）
・VOBUの最終アドレス、第１のコアピクチャーの最終アドレス、第２のコアピクチャーの最終アドレス及び第３のコアピクチャーの最終アドレス（VOBU_EA、VOBU_1STREF_EA、VOBU_2NDREF_EA、VOBU_3RDREF_EA）
・現在のVOBUの+240，+120，+60，+20，+15，+14，+13，+12，+11，+10，+9，+8，+7，+6，+5，+4，+3，+2，+1番目のVOBUのアドレス、並びに、現在のVOBUの-1，-2，-3，-4，-5，-6，-7，-8，-9，-10，-11，-12，-13，-14，-15，-20，-60，-120，-240番目のVOBUのアドレス、ビデオデータを持った次のVOBUアドレス、次のVOBUアドレス、1つ前のVOBUアドレス、ビデオデータを持った1つ前のVOBUアドレス（FWDI、BWDI）
・当該NV-Packに同期したオーディオパック（A_PCK）、サブピクチャーパック（SP_PCK）のアドレス（A_SYNCA、SP_SYNCA）
［SOBUに関して］
・PacketGroupタイムスタンプ
［TMUに関して（追加）］
・SOBU先頭部とTMU先頭部の時間差（フィールド数）（TMU_SOBU_0）
・TMU先頭部のSOBUナンバー（TMU_SOBU_1）
・TMU先頭部のSOBUの先頭アドレス（TMU_SOBU_2）
［VOBUに関して（追加）］
・SOBU先頭部とVOBU先頭部の時間差（フィールド数）（VOBU_SOBU_0）
・VOBU先頭部のSOBUナンバー（VOBU_SOBU_1）
・VOBU先頭部のSOBUの先頭アドレス（VOBU_SOBU_2）
［SOBUに関して（追加）］
・SOBU当たりのフィールドナンバー（SOBU_TM）
また、DVD-HDVRフォーマットには、以下のデータが記録されている。（ただし、TMU関連データ＊は記録されなくてもいい）
［VOBに関して］
・VOBにおけるTMUの総数（TM_ENT_Ns）＊
・VOBにおけるVOBUの総数（VOBU_ENT_Ns）
・VOBにおけるVOB先頭からTMU先頭のビデオフィールド数（TM_OFS）＊
・VOBにおけるHR_MOVIE.VROファイル先頭からVOB内VOBU先頭へのアドレスオフセット（ADR_OFS）
［TMUに関して］
・VOBU先頭部とTMU先頭部の時間差（フィールド数）（TM_DIFF）＊
・TMU先頭部のVOBUナンバー（VOBU_ENTN）＊
・TMU先頭部のVOBUの先頭アドレス（VOBU_ADR）＊
［VOBUに関して］
・VOBU中第１コアピクチャーが占めるセクター数（1STREF_SZ）
・VOBUあたりの時間（フィールド数）（VOBU_PB_TM）
・VOBUあたりのセクター数（VOBU_SZ）
［SOBUに関して］
・PacketGroupタイムスタンプ
そこで、DVD-HDVRフォーマット内、またはDVD-HDVRフォーマット外のユーザーデータにおいて、以下のデータを記録する。
［VOBUに関して］
・VOBUの開始アドレス（VTS_VOBU_SA）
・VOBUの最終アドレス、第１のコアピクチャーの最終アドレス、第２のコアピクチャーの最終アドレス及び第３のコアピクチャーの最終アドレス（VOBU_EA、VOBU_1STREF_EA、VOBU_2NDREF_EA、VOBU_3RDREF_EA）
・現在のVOBUの+240，+120，+60，+20，+15，+14，+13，+12，+11，+10，+9，+8，+7，+6，+5，+4，+3，+2，+1番目のVOBUのアドレス、並びに、現在のVOBUの-1，-2，-3，-4，-5，-6，-7，-8，-9，-10，-11，-12，-13，-14，-15，-20，-60，-120，-240番目のVOBUのアドレス、ビデオデータを持った次のVOBUアドレス、次のVOBUアドレス、1つ前のVOBUアドレス、ビデオデータを持った1つ前のVOBUアドレス（FWDI、BWDI）
・当該NV-Packに同期したオーディオパック（A_PCK）、サブピクチャーパック（SP_PCK）のアドレス（A_SYNCA、SP_SYNCA）
［SOBUに関して］
・各SOBU開始後最初のタイムユニットからSOBU終了後最初のタイムユニットまでのタイムユニットTU（５．６９msec）数（IAPAT）
・ｉ番目のAUが開始するビット位置（AUSM_pos(i)）、ｉ番目のAUが終了するビット位置（AUEM_pos(i)）
［TMUに関して（追加）］
・SOBU先頭部とTMU先頭部の時間差（フィールド数）（TMU_SOBU_0）
・TMU先頭部のSOBUナンバー（TMU_SOBU_1）
・TMU先頭部のSOBUの先頭アドレス（TMU_SOBU_2）
［VOBUに関して（追加）］
・SOBU先頭部とVOBU先頭部の時間差（フィールド数）（VOBU_SOBU_0）
・VOBU先頭部のSOBUナンバー（VOBU_SOBU_1）
・VOBU先頭部のSOBUの先頭アドレス（VOBU_SOBU_2）
［SOBUに関して（追加）］
・SOBU当たりのフィールドナンバー（SOBU_TM）
これらにより、高速検索用ユーザーデータを含むDVD+VRフォーマットでは、DVD+VRフォーマットに準拠しつつ、DVD-VR、DVD-SR、DVD-HDVRへの変換が容易となる。また、TMUを使った高速タイムサーチが可能となり、かつSOBU、PacketGroupあたりの時間が明確化することにより、シーク中またはシーク後の即時時刻情報取得と表示が可能となる。
【０１８１】
また、高速検索用ユーザーデータを含むDVD-VRフォーマットでは、DVD-VRフォーマットに準拠しつつ、DVD-Video、DVD+VR、DVD-SR、DVD-HDVRへの変換が容易となる。また、Navigation-Packを使ったオーディオサブピクチャーを含む高速高画質な可変速再生が可能となり、かつSOBU、PacketGroupあたりの時間が明確化することにより、シーク中またはシーク後の即時時刻情報取得と表示が可能となる。
【０１８２】
また、高速検索用ユーザーデータを含むDVD-SRフォーマットでは、DVD-SRフォーマットに準拠しつつ、DVD-Video、DVD+VR、DVD-VR、DVD-HDVRへの変換が容易となる。また、TMUを使った高速タイムサーチが可能となり、かつNavigation-Packを使ったオーディオサブピクチャーを含む高速高画質な可変速再生が可能となり、かつPacketGroupあたりの時間が明確化することにより、シーク中またはシーク後の即時時刻情報取得と表示が可能となる。
【０１８３】
また、高速検索用ユーザーデータを含むDVD-HDVRフォーマットでは、DVD-HDVRフォーマットに準拠しつつ、DVD-Video、DVD+VR、DVD-SRへの変換が容易となる。また、Navigation-Packを使ったオーディオサブピクチャーを含む高速高画質な可変速再生が可能となり、かつSOBU、PacketGroupあたりの時間が明確化することにより、シーク中またはシーク後の即時時刻情報取得と表示が可能となる。
【０１８４】
（第２の実施の形態）
図１７は、本発明の映像記録再生装置の第２の実施の形態を示すブロック図である。
【０１８５】
本形態は図１７に示すように、図１に示したHDD／DVDコンビネーションビデオレコーダ１０１に対して、DVD-マルチ論理フォーマット変換ブロック１０３の代わりに、フォーマット化ブロック１７０６が設けられている点のみが異なるものである。
【０１８６】
フォーマット化ブロック１７０６は、入力された映像ストリームであるビデオオーディオデータ１０２を予め決められた第１のフォーマットでフォーマット化するとともに、第１のフォーマットとは異なる第２のフォーマットで規定された時刻あるいは記録位置に関する情報を、第１のフォーマットでフォーマット化されたビデオオーディオデータに付加するものであって、入力されたビデオオーディオデータ１０２について第１のフォーマットであるDVD-Video Version 1.Xフォーマットあるいは、DVD-Video Version 2.Xフォーマットで規定された時刻あるいは記録位置に関する情報を発生させる第１のフォーマット情報発生手段であるDVD-Videoフォーマット情報発生部１７７と、入力されたビデオオーディオデータ１０２について第２のフォーマットであるDVD+VRフォーマットで規定された時刻あるいは記録位置に関する情報を発生させる第２のフォーマット情報発生手段であるDVD+VRフォーマット情報発生部１７８と、入力されたビデオオーディオデータ１０２について第２のフォーマットであるDVD-VRフォーマットで規定された時刻あるいは記録位置に関する情報を発生させる第２のフォーマット情報発生手段であるDVD-VRフォーマット情報発生部１７９と、入力されたビデオオーディオデータ１０２について第２のフォーマットであるDVD-SRフォーマットで規定された時刻あるいは記録位置に関する情報を発生させる第２のフォーマット情報発生手段であるDVD-SRフォーマット情報発生部１８０と、入力されたビデオオーディオデータ１０２について第２のフォーマットであるDVD-HDVRフォーマットで規定された時刻あるいは記録位置に関する情報を発生させる第２のフォーマット情報発生手段であるDVD-HDVRフォーマット情報発生部１８１と、入力されたビデオオーディオデータ１０２について第２のフォーマットであるBRDフォーマットで規定された時刻あるいは記録位置に関する情報を発生させる第２のフォーマット情報発生手段であるBRDフォーマット情報発生部１８２と、入力されたビデオオーディオデータ１０２に、DVD-Videoフォーマット情報発生部１７７にて発生した時刻あるいは記録位置に関する情報を付与し、ビデオオーディオデータ１０２をDVD-Video Version 1.Xフォーマットあるいは、DVD-Video Version 2.Xフォーマットでフォーマット化する記録フォーマット化部１７０３と、記録フォーマット化部１７０３にてフォーマット化されたビデオオーディオデータに、DVD+VRフォーマット情報発生部１７８、DVD-VRフォーマット情報発生部１７９、DVD-SRフォーマット情報発生部１８０、DVD-HDVRフォーマット情報発生部１８１及びBRDフォーマット情報発生部１８２にて発生した時刻あるいは記録位置に関する情報を付加する情報付加部１７０５とから構成されている。
【０１８７】
本形態においては、外部からビデオオーディオデータ１０２が入力されると、入力されたビデオオーディオデータ１０２は、まず、フォーマット化ブロック１７０６のDVD-Videoフォーマット情報発生部１７７、DVD+VRフォーマット情報発生部１７８、DVD-VRフォーマット情報発生部１７９、DVD-SRフォーマット情報発生部１８０、DVD-HDVRフォーマット情報発生部１８１、BRDフォーマット情報発生部b１８２及び記録フォーマット化部１７０３に入力される。
【０１８８】
すると、DVD-Videoフォーマット情報発生部１７７においては、入力されたビデオオーディオデータ１０２についてDVD-Video Version 1.Xフォーマットあるいは、DVD-Video Version 2.Xフォーマットで規定された時刻あるいは記録位置に関する情報が発生し、また、DVD+VRフォーマット情報発生部１７８においては、入力されたビデオオーディオデータ１０２についてDVD+VRフォーマットで規定された時刻あるいは記録位置に関する情報が発生し、また、DVD-VRフォーマット情報発生部１７９においては、入力されたビデオオーディオデータ１０２についてDVD-VRフォーマットで規定された時刻あるいは記録位置に関する情報が発生し、また、DVD-SRフォーマット情報発生部１８０においては、入力されたビデオオーディオデータ１０２についてDVD-SRフォーマットで規定された時刻あるいは記録位置に関する情報が発生し、また、DVD-HDVRフォーマット情報発生部１８１においては、入力されたビデオオーディオデータ１０２についてDVD-HDVRフォーマットで規定された時刻あるいは記録位置に関する情報が発生し、また、BRDフォーマット情報発生部１８２においては、入力されたビデオオーディオデータ１０２についてBRDフォーマットで規定された時刻あるいは記録位置に関する情報が発生する。
【０１８９】
次に、記録フォーマット化部１７０３において、入力されたビデオオーディオデータ１０２に、DVD-Videoフォーマット情報発生部１７７にて発生した時刻あるいは記録位置に関する情報が付与され、ビデオオーディオデータ１０２がDVD-Video Version 1.Xフォーマットあるいは、DVD-Video Version 2.Xフォーマットでフォーマット化される。
【０１９０】
次に、情報付加部１７０５において、記録フォーマット化部１７０３にてフォーマット化されたビデオオーディオデータに、DVD+VRフォーマット発生部１７８、DVD-VRフォーマット情報発生部１７９、DVD-SRフォーマット情報発生部１８０、DVD-HDVRフォーマット情報発生部１２１及びBRDフォーマット情報発生部１８２にて発生した時刻あるいは記録位置に関する情報が付加される。
【０１９１】
その後、制御信号１０４が入力された制御ブロック１０５の制御によって、記録フォーマット化部１７０３にてフォーマット化されたビデオオーディオデータと、情報付加部１７０５にてこれに付加された時刻あるいは記録位置に関する情報とがHDDドライバ１０６にてハードディスク１０６ａに記録されたり、DVDレコーダ１１２にてDVDに記録されたりする。
【０１９２】
図１８は、図１７に示した記録フォーマット化部１７０３にてフォーマット化されたビデオオーディオデータと情報付加部１７０５にてこれに付加された時刻あるいは記録位置に関する情報とがDVDレコーダ１１２によってDVDに記録された状態を示す図である。
【０１９３】
図１８に示すように、DVDレコーダ１１２によってビデオオーディオデータが記録されるDVD２２０１には、フォーマット化されたビデオオーディオデータが記録される第１の記録領域２２０２が設けられており、記録フォーマット化部１７０３にてフォーマット化されたビデオオーディオデータはこの記録領域２２０２に記録される。すなわち、この記録領域２２０２には、ビデオオーディオデータ１０２が記録されているとともに、DVD-Videoフォーマット情報発生部１７７にて発生した時刻あるいは記録位置に関する情報がビデオオーディオデータ１０２に付与されて記録されている。また、このDVD２２０１には、ユーザーデータ領域等の、第１の記録領域２２０２とは異なる第２の記録領域２２０３に、DVD+VRフォーマット情報発生部１７８、DVD-VRフォーマット情報発生部１７９、DVD-SRフォーマット情報発生部１８０、DVD-HDVRフォーマット情報発生部１８１及びBRDフォーマット情報発生部１８２にて発生した時刻あるいは記録位置に関する情報が記録されている。
【０１９４】
なお、DVD+VRフォーマット情報発生部１７８、DVD-VRフォーマット情報発生部１７９、DVD-SRフォーマット情報発生部１８０、DVD-HDVRフォーマット情報発生部１８１及びBRDフォーマット情報発生部１８２においては、VOB先頭時刻、SOB先頭時刻、TMU先頭時刻、VOBU先頭時刻、SOBU_HD先頭時刻、SOBU先頭時刻、PacketGroup先頭時刻、VOBアドレス、SOBアドレス、TMUアドレス、VOBUアドレス、SOBU_HDアドレス、SOBUアドレス及びPacketGroupアドレスと、DVD-Video Version 1.X、DVD-Video Version 2.Xフォーマットに準拠した、VTS_VOBU_SA、VOBU_EA、VOBU_1STREF_EA、VOBU_2NDREF_EA、VOBU_3RDREF_EA、FWDI、BWDI、A_SYNCA、SP_SYNCAと、DVD+VRフォーマットに準拠した、VTS_VOBU_SA、VOBU_1STREF_EA、VOBU_2NDREF_EA、VOBU_3RDREF_EA、VOBU_EA、FWDI、BWDI、A_SYNCA、SP_SYNCAと、DVD-VRフォーマットまたはDVD-HDVRフォーマットに準拠した、TM_ENT_Ns、VOBU_ENT_Ns、TM_OFS、ADR_OFS、TM_DIFF、VOBU_ENTN、VOBU_ADR、1STREF_SZ、VOBU_PB_TM、VOBU_SZと、DVD-SRフォーマットに準拠した、IAPAT、AUSM、AUEMと、DVD-HDVRフォーマットに準拠したPATSが発生し、これらの情報のうち、VD+VRフォーマット、DVD-VRフォーマット、DVD-SRフォーマット及びDVD-HDVRフォーマットのうち少なくとも１つのフォーマットで規定された情報を、HDDドライバ１０６にてハードディスク１０６ａに記録したり、DVDレコーダ１１２にてDVDに記録したりすることが考えられる。
【０１９５】
また、DVD+VRフォーマット情報発生部１７８、DVD-VRフォーマット情報発生部１７９、DVD-SRフォーマット情報発生部１８０、DVD-HDVRフォーマット情報発生部１８１及びBRDフォーマット情報発生部１８２のそれぞれにおいて、DVD+VRフォーマット、DVD-VRフォーマット、DVD-SRフォーマット、DVD-HDVRフォーマット及びBRDフォーマットで規定された記録単位間の関連時間情報及び固定記録単位あたりの時間情報を発生させ、これらの記録単位間の関連時間情報及び固定記録単位あたりの時間情報のうち、少なくとも一方を追加情報としてHDDドライバ１０６にてハードディスク１０６ａに記録したり、DVDレコーダ１１２にてDVDに記録したりすることが考えられる。
【０１９６】
また、本形態においては、入力されたビデオオーディオデータ１０２をDVD-Video Version 1.Xフォーマット、またはDVD-Video Version 2.Xフォーマットでフォーマット化し、このフォーマット化されたビデオオーディオデータに、DVD+VRフォーマット、またはDVD-VRフォーマット、またはDVD-SRフォーマット、またはDVD-HDVRフォーマット、またはBRDフォーマットにて規定される時間あるいは記録位置に関する情報を付加しているが、入力されたビデオオーディオデータ１０２を、DVD-Video Version 1.Xフォーマット、DVD-Video Version 2.Xフォーマット、DVD+VRフォーマット、DVD-VRフォーマット、DVD-SRフォーマット、DVD-HDVRフォーマット及びBRDフォーマットのいずれかのフォーマットでフォーマット化し、このフォーマット化されたビデオオーディオデータに、他のフォーマットで規定される時間あるいは記録位置に関する情報を付加することも考えられる。また、時間あるいは記録位置に関する情報が付加されるフォーマットの数も５つに限らない。その際、SOBUまたはPacketGroup先頭部とTMU先頭部との時間差、TMU先頭部のSOBUまたはPacketGroupナンバー、TMU先頭部のSOBUまたはPacketGroupの先頭アドレス、SOBUまたはPacketGroup先頭部とVOBU先頭部との時間差、VOBU先頭部のSOBUまたはPacketGroupナンバー、VOBU先頭部のSOBUまたはPacketGroupの先頭アドレス、SOBUまたはPacketGroup先頭部とSOBU_HD先頭部との時間差、SOBU_HD先頭部のSOBUまたはPacketGroupナンバー、SOBU_HD先頭部のSOBUまたはPacketGroupの先頭アドレス、SOBUまたはPacketGroup当たりの時間情報、フレーム数、フィールド数のうち、少なくとも１つを追加情報としてHDDドライバ１０６にてハードディスク１０６ａに記録したり、DVDレコーダ１１２にてDVDに記録したりすることが考えられる。
【０１９７】
本形態におけるその他の動作については、第１の実施の形態に示したものと同様であるため、ここでの説明は省略する。
【０１９８】
なお、上述した２つの実施の形態においては、映像記録再生装置としてHDD/DVDコンビネーションビデオレコーダ１０１，１７０１を例に挙げて説明したが、第１の実施の形態にて示したものにおいては、DVD-マルチ論理フォーマット変換ブロック１０３、制御ブロック１０５、HDDドライバ１０６及びDVDレコーダ１１２のみからなる映像記録装置、第２の実施の形態にて示したものにおいては、フォーマット化ブロック１７０６、制御ブロック１０５、HDDドライバ１０６及びDVDレコーダ１１２のみからなる映像記録装置として構成してもよい。
【０１９９】
上述したように本形態においては、入力されたビデオオーディオデータ１０２がDVD-Video Version 1.XフォーマットあるいはDVD-Video Version 2.Xフォーマットで記録されたハードディスク１０６ａあるいはDVDには、ビデオオーディオデータ１０２についてDVD-Video Version 1.XフォーマットあるいはDVD-Video Version 2.Xフォーマットとは異なるDVD+VRフォーマット、DVD-VRフォーマット、DVD-SRフォーマット、DVD-HDVRフォーマット及びBRDフォーマットでそれぞれ規定された時刻あるいは記録位置に関する情報が記録されているため、それにより、このハードディスク１０６ａあるいはDVDに記録されたビデオオーディオデータ１０２を他の記録媒体にダビングする等の場合において容易にフォーマット変換を行うことができる。
【０２００】
（第３の実施の形態）
図１９は、本発明の映像記録再生装置の第３の実施の形態を示すブロック図である。
【０２０１】
本形態は図１９に示すように、入力されたビデオオーディオデータ１９０１についてDVD-Video Version 1.XフォーマットまたはDVD-Video Version 2.Xフォーマットで規定された時刻あるいは記録位置に関する情報を発生させるDVD-Videoフォーマット情報発生部１９０２と、ハードディスク１９０４またはDVDに記録されたビデオオーディオデータの再生順序が指定され、ビデオオーディオデータに対して独立したファイル形式からなるプレイリストファイルを発生させるプレイリストファイル発生部１９０６と、入力されたビデオオーディオデータ１９０１に、DVD-Videoフォーマット情報発生部１９０２にて発生した時刻あるいは記録位置に関する情報を付与してビデオオーディオデータ１９０１をフォーマット化するとともに、フォーマット化されたビデオオーディオデータに、プレイリストファイル発生部１９０６にて発生したプレイリストファイルを付加する記録フォーマット化部１９０３と、記録フォーマット化部１９０３にてフォーマット化されたビデオオーディオデータ及びこれに付加されたプレイリストファイルをハードディスク１９０４ａに記録するHDDドライバ１９０４と、記録フォーマット化部１９０３にてフォーマット化されたビデオオーディオデータ及びこれに付加されたプレイリストファイルをDVDに記録するDVDレコーダ１９０５とから構成されている。
【０２０２】
上記のように構成されたHDD/DVDコンビネーションビデオレコーダ１９００においては、ビデオオーディオデータ１９０１が入力されると、DVD-Videoフォーマット情報発生部１９０２において、入力されたビデオオーディオデータ１９０１についてDVD-Video Version 1.XフォーマットまたはDVD-Video Version 2.Xフォーマットで規定された時刻あるいは記録位置に関する情報が発生する。
【０２０３】
また、プレイリストファイル発生部１９０６においては、ハードディスク１９０４またはDVDに記録されたビデオオーディオデータの再生順序が指定され、ビデオオーディオデータに対して独立したファイル形式からなるプレイリストファイルが発生する。ここで、プレイリストとは、ハードディスク１０９４ａまたはDVDに記録されたビデオオーディオデータについて、ユーザーによって指定された範囲と再生順序に従ってその順序で自動的に再生を行う機能である。
【０２０４】
次に、記録フォーマット化部１９０３において、入力されたビデオオーディオデータ１９０１に、DVD-Videoフォーマット情報発生部１９０２にて発生した時刻あるいは記録位置に関する情報が付与されてビデオオーディオデータ１９０１がフォーマット化されるとともに、フォーマット化されたビデオオーディオデータに、プレイリストファイル発生部１９０６にて発生したプレイリストファイルが付加される。
【０２０５】
その後、記録フォーマット化部１９０３にてフォーマット化されたビデオオーディオデータ及びこれに付加されたプレイリストファイルは、HDDドライバ１９０４によってハードディスク１９０４ａに記録されたり、DVDレコーダ１９０５によってDVDに記録されたりする。
【０２０６】
図２０は、図１９に示した記録フォーマット化部１９０３にてフォーマット化されたビデオオーディオデータとプレイリストファイル発生部１９０６にて発生したプレイリストファイルとがDVDレコーダ１１２によってDVDに記録された状態を示す図である。
【０２０７】
図２０に示すように、DVDレコーダ１１２によってビデオオーディオデータが記録されるDVD２３０１には、フォーマット化されたビデオオーディオデータが記録される第１の記録領域２３０２が設けられており、記録フォーマット化部１９０３にてフォーマット化されたビデオオーディオデータはこの記録領域２３０２に記録される。すなわち、この記録領域２３０２には、ビデオオーディオデータ１０２が記録されているとともに、DVD-Videoフォーマット情報発生部１９０２にて発生した時刻あるいは記録位置に関する情報がビデオオーディオデータ１０２に付与されて記録されている。また、このDVD２３０１には、ユーザーデータ領域等の、第１の記録領域２３０２とは異なる第３の記録領域２３０３に、プレイリストファイル発生部１９０６にて発生したプレイリストファイルが記録されている。
【０２０８】
ここで、DVD-Video Version 1.XフォーマットあるいはDVD-Video Version 2.Xフォーマットでと、DVD+VRフォーマットと、DVD-VRフォーマットと、DVD-SRフォーマットと、DVD-HDVRフォーマットと、BRDフォーマットとでは、ビデオオーディオデータの指定方法が互いに異なる。そのため、上述したように、プレイリストファイル発生部１９０４において、ビデオオーディオデータに対して独立したファイル形式からなるプレイリストファイルを発生させることにより、異なったタイトル間でもシーンごとに切り出しを行い、任意にシームレスまたはノンシームレスに接続して再生することができる。
【０２０９】
（第４の実施の形態）
図２１は、本発明の映像記録装置の第４の実施の形態を示すブロック図である。
【０２１０】
本形態は図２１に示すように、入力されるビデオオーディオデータ２００１に応じてフォーマットを設定するフォーマット設定部２００２と、ビデオオーディオデータ２００１について、フォーマット設定部２００２にて設定されたフォーマットで規定された時刻あるいは記録位置に関する情報を発生させるフォーマット情報発生部２００３と、ビデオオーディオデータ２００１に、フォーマット情報発生部２００３にて発生した時刻あるいは記録位置に関する情報を付与してビデオオーディオデータ２００１をフォーマット化する記録フォーマット化部２００４と、記録フォーマット化部２００４にてフォーマット化されたビデオオーディオデータをハードディスク２００５ａに記録するHDDドライバ２００５と、記録フォーマット化部２００４にてフォーマット化されたビデオオーディオデータをDVDに記録するDVDレコーダ２００６とから構成されている。
【０２１１】
上記のように構成されたHDD/DVDコンビネーションビデオレコーダ２０００においては、ビデオオーディオデータ２００１が入力されると、まず、フォーマット設定部２００２において、入力されたビデオオーディオデータ２００１に応じてフォーマットが設定される。例えば、アナログ放送のビデオオーディオデータ２００１が入力された場合は、DVD-VRフォーマットが設定され、また、デジタルＳＤＴＶ放送のビデオオーディオデータ２００１が入力された場合は、DVD-SRフォーマットが設定され、また、デジタルＨＤＴＶ放送のビデオオーディオデータ２００１が入力された場合は、DVD-HDVRフォーマットが設定される。
【０２１２】
次に、フォーマット情報発生部２００３において、ビデオオーディオデータ２００１について、フォーマット設定部２００２にて設定されたフォーマットで規定された時刻あるいは記録位置に関する情報が発生する。例えば、フォーマット設定部２００２にてDVD-VRフォーマットが設定された場合は、DVD-VRフォーマットで規定された時刻あるいは記録位置に関する情報が発生し、また、フォーマット設定部２００２にてDVD-SRフォーマットが設定された場合は、DVD-SRフォーマットで規定された時刻あるいは記録位置に関する情報が発生し、また、フォーマット設定部２００２にてDVD-HDVRフォーマットが設定された場合は、DVD-HDVRフォーマットで規定された時刻あるいは記録位置に関する情報が発生する。
【０２１３】
次に、記録フォーマット化部２００４において、入力されたビデオオーディオデータ２００４に、フォーマット情報発生部２００３にて発生した時刻あるいは記録位置に関する情報が付与されてビデオオーディオデータ２００１がフォーマット化される。
【０２１４】
その後、記録フォーマット化部２００４にてフォーマット化されたビデオオーディオデータは、HDDドライバ２００５によってハードディスク２００５ａに記録されたり、DVDレコーダ２００５によってDVDに記録されたりする。
【０２１５】
なお、本形態においては、フォーマット設定部２００２において、入力されたビデオオーディオデータ２００１に応じてフォーマットを設定しているが、ビデオオーディオデータ２００１が記録されるDVDの種類（特に、光ディスクでは、挿入されたディスク媒体の物理特性）に応じてフォーマットを設定することが考えられる。
【０２１６】
図２２は、ビデオオーディオデータが記録されるDVDの種類に応じてフォーマットを設定する映像記録装置の一例を示す図である。
【０２１７】
本例は図２２に示すように、DVDレコーダ２４０６にてビデオオーディオデータ２４０１が記録されるDVDの種類を判別し、判別した種類に応じてフォーマットを設定するフォーマット設定部２４０２と、ビデオオーディオデータ２４０１について、フォーマット設定部２４０２にて設定されたフォーマットで規定された時刻あるいは記録位置に関する情報を発生させるフォーマット情報発生部２４０３と、ビデオオーディオデータ２４０１に、フォーマット情報発生部２４０３にて発生した時刻あるいは記録位置に関する情報を付与してビデオオーディオデータ２４０１をフォーマット化する記録フォーマット化部２４０４と、記録フォーマット化部２４０４にてフォーマット化されたビデオオーディオデータをDVDに記録するDVDレコーダ２４０６とから構成されている。
【０２１８】
上記のように構成されたHDD/DVDコンビネーションビデオレコーダ２４００においては、ビデオオーディオデータ２４０１を記録するためのDVDがDVDレコーダ２４０６に挿入されると、フォーマット設定部２４０２において、DVDレコーダ２４０６に挿入されたDVDの種類が判別され、判別されたDVDの種類に応じてフォーマットが設定される。例えば、ビデオオーディオデータ２４０１が記録されるDVDが青色LD対応のDVDディスクである場合は、自動的にDVD-HDVRフォーマットが設定され、また、ビデオオーディオデータ２４０１が記録されるDVDがBRDディスクである場合は、自動的にBRDフォーマットが設定され、また、ビデオオーディオデータ２４０１が記録されるDVDがDVD+RWディスクである場合は、自動的にDVD+VRフォーマットが設定され、また、ビデオオーディオデータ２４０１が記録されるDVDがDVD-RWディスクである場合は、自動的にDVD-VRまたはDVD-SRフォーマットが設定される。
【０２１９】
その後、ビデオオーディオデータ２４０１が入力されると、フォーマット情報発生部２４０３において、ビデオオーディオデータ２４０１について、フォーマット設定部２４０２にて設定されたフォーマットで規定された時刻あるいは記録位置に関する情報が発生する。例えば、フォーマット設定部２４０２にてDVD-VRフォーマットが設定された場合は、DVD-VRフォーマットで規定された時刻あるいは記録位置に関する情報が発生し、また、フォーマット設定部２４０２にてDVD-SRフォーマットが設定された場合は、DVD-SRフォーマットで規定された時刻あるいは記録位置に関する情報が発生し、また、フォーマット設定部２４０２にてDVD-HDVRフォーマットが設定された場合は、DVD-HDVRフォーマットで規定された時刻あるいは記録位置に関する情報が発生し、また、フォーマット設定部２４０２にてBRDフォーマットが設定された場合は、BRDフォーマットで規定された時刻あるいは記録位置に関する情報が発生する。
【０２２０】
次に、記録フォーマット化部２４０４において、入力されたビデオオーディオデータ２４０４に、フォーマット情報発生部２４０３にて発生した時刻あるいは記録位置に関する情報が付与されてビデオオーディオデータ２４０１がフォーマット化される。
【０２２１】
その後、記録フォーマット化部２４０４にてフォーマット化されたビデオオーディオデータは、DVDレコーダ２４０５によってDVDに記録される。
【０２２２】
また、上述した２つの例を組み合わせることも考えられる。
【０２２３】
例えば、ビデオオーディオデータが記録されるDVDが青色LD対応のDVDディスクまたはHD-DVDディスクであり、かつアナログ放送またはアナログデータのビデオオーディオデータが入力された場合は、自動的にDVD-HDVRフォーマットのVOBが設定され、また、ビデオオーディオデータが記録されるDVDが青色LD対応のDVDディスクまたはHD-DVDディスクであり、かつデジタル放送またはデジタルデータのビデオオーディオデータが入力された場合は、自動的にDVD-HDVRフォーマットのSOBが選択され、また、ビデオオーディオデータが記録されるDVDがBRDディスクである場合は、自動的にBRDフォーマットが設定され、また、ビデオオーディオデータが記録されるDVDがDVD-RWディスクであり、かつアナログ放送またはアナログデータのビデオオーディオデータが入力された場合は、自動的にDVD-VRフォーマットが設定され、また、ビデオオーディオデータが記録されるDVDがDVD-RWディスクであり、かつデジタル放送またはデジタルデータのビデオオーディオデータが入力された場合は、自動的にDVD-SRフォーマットが設定され、設定されたフォーマットによりビデオオーディオデータが記録される。
【０２２４】
これにより、入力されたビデオオーディオデータやこのビデオオーディオデータが記録されるDVDの種類に応じてユーザーは論理フォーマットを選択する必要がなくなる。
【０２２５】
なお、上述した実施の形態においては、DVD+VRフォーマット、DVD-VRフォーマット、DVD-SRフォーマット、DVD-HDVRフォーマット、BRDフォーマットに関する時間位置情報を全て記録しているが、実際にはその一部を記録してもよい。
【０２２６】
例えば、DVD-Video Version 1.Xフォーマット、DVD-Video Version 2.Xフォーマット、DVD-VRフォーマット、DVD-SRフォーマット、DVD-HDVRフォーマット、BRDフォーマットに関する時間位置情報のみを記録してもよく、このとき、FWDI_240〜FWDI_1、BWDI_1〜BWDI_240全データDVD-Videoに準拠した正確な値が必要であるが、その場合、ハードディスクからDVD-Video Version 1.Xフォーマット、DVD-Video Version 2.Xフォーマット、DVD-VRフォーマット、DVD-SRフォーマット、DVD-HDVRフォーマット、BRDフォーマットへの変換が容易に行われる。
【０２２７】
また、DVD-VRフォーマット、DVD-SRフォーマット、DVD-HDVRフォーマット、BRDフォーマットに関する時間位置情報をDVD-Videoのユーザーデータ領域に記録しておくことにより、このデータを容易にDVD-VRフォーマット、DVD-SRフォーマット、DVD-HDVRフォーマット、またはBRDフォーマットに変換することができるように構成してもよく、DVD-Videoフォーマット、DVD-SRフォーマットに関する時間位置情報をDVD-VRフォーマット、DVD-HDVRフォーマットのユーザーデータ領域に記録しておくことにより、このデータを容易にDVD-Videoフォーマット、またはDVD-SRフォーマットに変換することができるように構成してもよく、DVD-Videoフォーマット、DVD-VRフォーマット、DVD-HDVRフォーマットに関する時間位置情報をDVD-SRのユーザーデータ領域に記録しておくことにより、このデータを容易にDVD-Videoフォーマット、DVD-VRフォーマットまたはDVD-HDVRフォーマットに変換することができるように構成してもよい。
【０２２８】
なお、本発明においては、映像記録再生装置内の処理は上述の専用のハードウェアにより実現されるもの以外に、その機能を実現するためのプログラムを映像記録再生装置にて読取可能な記録媒体に記録し、この記録媒体に記録されたプログラムを映像記録再生装置に読み込ませ、実行するものであっても良い。映像記録再生装置にて読取可能な記録媒体とは、フロッピーディスク、光磁気ディスク、ＤＶＤ、ＣＤなどの移設可能な記録媒体の他、映像記録再生装置に内蔵されたＨＤＤ等を指す。この記録媒体に記録されたプログラムは、例えば、制御ブロックにて読み込まれ、制御ブロックの制御によって、上述したものと同様の処理が行われる。
【図面の簡単な説明】
【０２２９】
【図１】本発明の映像記録再生装置の第１の実施の形態を示すブロック図である。
【図２】図１に示した記録フォーマット化部にてマルチフォーマット化されたビデオオーディオデータがDVDレコーダによってDVDに記録された状態を示す図である。
【図３】図１に示したDVDレコーダで記録されたディスクが、対応する他のDVDドライブで、編集、再生等が行われる場合の処理を説明するための図である。
【図４】DVD-Video及びDVD+VRの構成の一例を示す図である。
【図５】DVD-VR（DVD-HDVR）の構成の一例を示す図である。
【図６】DVD-VR（DVD-HDVR）タイムマップ情報の一例を示す図である。
【図７】DVD-SRフォーマットの一例を示す図である。
【図８】DVD-SRフォーマットにおけるSOBOとIAPATを示す図である。
【図９】AUSM及びAUEMを示す図である。
【図１０】DVD-Video、DVD+VR、DVD-VR、DVD-HDVRで規定されたビデオ、オーディオ、サブピクチャーパックを示す図である。
【図１１】DVD-SRで規定されたストリームパックを示す図である。
【図１２】図１０に示したストリームパックから図１１に示したビデオパックを発生する例を示す図である。
【図１３】DVDマルチ論理フォーマットの一例を示す図である。
【図１４】DVDマルチ論理フォーマットを詳細に説明するための図である。
【図１５】DVDマルチ論理フォーマットとして記録することが必要なデータを示す図である。
【図１６】図１５に示したデータに加えてDVDマルチ論理フォーマットとして記録可能なデータを示す図である。
【図１７】本発明の映像記録再生装置の第２の実施の形態を示すブロック図である。
【図１８】図１７に示した記録フォーマット化部にてフォーマット化されたビデオオーディオデータと情報付加部にてこれに付加された時刻あるいは記録位置に関する情報とがDVDレコーダによってDVDに記録された状態を示す図である。
【図１９】本発明の映像記録再生装置の第３の実施の形態を示すブロック図である。
【図２０】図１９に示した記録フォーマット化部にてフォーマット化されたビデオオーディオデータとプレイリストファイル発生部にて発生したプレイリストファイルとがDVDレコーダによってDVDに記録された状態を示す図である。
【図２１】本発明の映像記録装置の第４の実施の形態を示すブロック図である。
【図２２】ビデオオーディオデータが記録されるDVDの種類に応じてフォーマットを設定する映像記録装置の一例を示す図である。
【符号の説明】
【０２３０】
１０１，１７０１，１９００，２０００，２４００    HDD／DVDレコーダ
１０２，１１４，２０３，２０６，２０９，２１２，２１５，１９０１，２００１，２４０１    ビデオオーディオデータ
１０３    DVD-マルチ論理フォーマット変換ブロック
１０４    制御信号
１０５    制御ブロック
１０６，１９０４，２００５    HDDドライブ
１０６ａ，１９０４ａ，２００５ａ    ハードディスク
１０７    DVDマルチ論理フォーマットダビング部
１０８    DVD-Video／DVD+VRフォーマットダビング部
１０９    DVD-VRフォーマットダビング部
１１０    DVD-SRフォーマットダビング部
１１１    DVD-HDVRフォーマットダビング部
１１２，１９０５，２００６，２４０６    DVDレコーダ
１１３    DVDマルチ、DVD-Video／DVD+VR、DVD-VR、DVD-SR、DVD-HDVR、BRD編集／再生ブロック
１１４    ビデオオーディオデータ
１１５    フォーマット変換部
１１７，１７７，１９０２    DVD-Videoフォーマット情報発生部
１１８，１７８    DVD+VRフォーマット情報発生部
１１９，１７９    DVD-VRフォーマット情報発生部
１２０，１８０    DVD-SRフォーマット情報発生部
１２１，１８１    DVD-HDVRフォーマット情報発生部
１２２，１７０３，１９０３，２００４    記録フォーマット化部
１２３    フォーマット化部
１２４    変換部
１２５，１８２    BRDフォーマット情報発生部
１２６    BRDフォーマットダビング部
２０１    DVD-Videoドライブ
２０２    DVD-Video再生ブロック
２０４    DVD+VRドライブ
２０５    DVD+VR編集／再生ブロック
２０７    DVD-VRドライブ
２０８    DVD-VR編集／再生ブロック
２１０    DVD-SRドライブ
２１１    DVD-SR編集／再生ブロック
２１３    DVD-HDVRドライブ
２１４    DVD-HDVR編集／再生ブロック
３０１    Volume & File Structure
３０２    DVD-Video Zone
３０３    VMG
３０４    VTS
３０５    VOBS
３０６    VOB
３０７    Cell
３０８    VOBU（NV-Pack、V-Pack、A-Pack、SP-Pack）
３０９    NV-Pack
４０１    RTR_VMG（VR_MANGR.IFOファイル）
４０２    RTR_VMGI、S_AVFIT、TXTDT_MG、MNFIT
４０３    ORG_PGCI
４０４    UD_PGCI
４０５    M_AVFIT
４０６    Video Object（VR_MOVIE.VROファイル）
５０１    TMAP_GI
５０２    TM_ENT
５０３    VOBU_ENT
５０４    時間関連情報
５０５    ピクチャー
５０６    アドレス関連情報
６０１    RTR_SMG（SR_MANGR.IFOファイル）
６０２    RTR_SMGI、TXTDT_MG、APDT_MG
６０３    ORG_PGCI
６０４    UD_PGCI
６０５    SFIT
６０６    Stream Object（SR_TRANS.SROファイル）
７０１    アプリケーションパケット（Application Packet）
７０２    SOBU
７０３    時間ｔ
７０４    タイムユニット（Time Unit；TU）
７０５    SOBU開始アプリケーションパケット到着時刻（SOBU_S_APAT）
７０６    SOBU最終アプリケーションパケット到着時刻（SOBU_E_APAT）
７０７    インクリメンタルアプリケーションパケット到着時刻IAPAT（Incremental Packet Arrival Time）
８０１    AUSM
８０２    AUEM
８０３    SOB
９０１    ２０４８バイトのビデオパック（Pack）
９０２    ビデオ、オーディオ、サブピクチャー（Pack for Video, Audio or Sub-picture）
１００１    ２０４８バイトのストリームパック（S_PCK）
１００２    ストリームパックヘッダー
１００３    アプリケーションタイムスタンプ（ATS）
１００４    アプリケーションパケット（AP_PKT）
１１０１    ヘッダー
１１０２，１１０３    ペイロード
１１０４    ビデオパック開始点
１１０５    ビデオパック終了点
１２０１，１３０１    TMU
１２０２    TMUアドレス
１２０３，１３０４    VOBU
１２０４    VOBUアドレス
１２０５，１３０７    SOBU
１２０６    SOBUタイムスタンプ
１３０２    TMU0開始点のタイムスタンプ
１３０３    TMU0開始点のセクターアドレス
１３０５    VOBU0開始点のタイムスタンプ
１３０６    VOBU0開始点のセクターアドレス
１３０８    SOBU0開始点のタイムスタンプ
１３０８    SOBU0開始点のセクターアドレス
１７０５    情報付加部
１９０６    プレイリストファイル発生部
２００２，２４０２    フォーマット設定部
２００３，２４０３    フォーマット情報発生部
２１０１，２２０１，２３０１    ＤＶＤ
２１０２，２２０２，２２０３，２３０２，２３０３    記録領域
【図１】
2004357275.tif 000003
【図２】
2004357275.tif 000004
【図３】
2004357275.tif 000005
【図４】
2004357275.tif 000006
【図５】
2004357275.tif 000007
【図６】
2004357275.tif 000008
【図７】
2004357275.tif 000009
【図８】
2004357275.tif 000010
【図９】
2004357275.tif 000011
【図１０】
2004357275.tif 000012
【図１１】
2004357275.tif 000013
【図１２】
2004357275.tif 000014
【図１３】
2004357275.tif 000015
【図１４】
2004357275.tif 000016
【図１５】
2004357275.tif 000017
【図１６】
2004357275.tif 000018
【図１７】
2004357275.tif 000019
【図１８】
2004357275.tif 000020
【図１９】
2004357275.tif 000021
【図２０】
2004357275.tif 000022
【図２１】
2004357275.tif 000023
【図２２】
2004357275.tif 000024